(57)【特許請求の範囲】
【請求項１】
コンテンツを表示部に表示する表示手段と、
当該表示装置からユーザまでの距離を検出する距離検出手段と、
外部機器から入力される入力画像に含まれる文字のうち、最も小さい文字の大きさを検出する文字サイズ検出手段と、
上記入力画像の表示サイズを、上記入力画像に含まれる最も小さい文字の大きさ、及び、上記距離に基づいて調整する調整手段と、を備え、
上記表示手段は、上記入力画像を、上記調整手段によって調整された表示サイズで、上記コンテンツと共に上記表示部に表示する、
ことを特徴とする表示装置。
【請求項２】
当該表示装置を利用する上記ユーザを特定するユーザ特定手段を備え、
上記調整手段は、更に、上記入力画像の表示サイズを、上記ユーザ特定手段によって特定される上記ユーザによって予め設定されている基準文字サイズに基づいて調整する、
ことを特徴とする請求項１に記載の表示装置。
【請求項３】
上記調整手段は、上記コンテンツの表示サイズを、上記入力画像の調整された表示サイズに基づいて縮小し、
上記表示手段は、上記縮小されたコンテンツを、上記表示部上の、上記表示サイズの調整された入力画像が表示される領域と異なる領域に表示する、
ことを特徴とする請求項１または２に記載の表示装置。
【請求項４】
上記文字サイズ検出手段は、上記コンテンツに含まれる文字のうち、最も小さい文字の大きさを検出し、
上記調整手段は、上記コンテンツの表示サイズを、上記コンテンツに含まれる最も小さい文字の大きさ、及び、上記距離に基づいて調整し、
上記表示手段は、上記コンテンツ及び上記入力画像の各々を、上記調整手段によって調整された表示サイズで、上記表示部上の異なる領域に表示する、
ことを特徴とする請求項２に記載の表示装置。
【請求項５】
上記調整手段は、更に、上記コンテンツの表示サイズを、上記基準文字サイズに基づいて調整する、
ことを特徴とする請求項４に記載の表示装置。
【請求項６】
上記調整手段は、表示サイズを調整した上記入力画像及び上記コンテンツの少なくとも何れかの表示サイズを、上記入力画像及び上記コンテンツの優先度に応じて更に調整する、
ことを特徴とする請求項４又は５に記載の表示装置。
【請求項７】
請求項１から６までの何れか１項に記載の表示装置を備えている、
ことを特徴とするテレビジョン受像機。
【請求項８】
コンテンツを表示部に表示する表示装置の表示方法であって、
上記表示装置からユーザまでの距離を検出する距離検出ステップと、
外部機器から入力される入力画像に含まれる文字のうち、最も小さい文字の大きさを検出する文字サイズ検出ステップと、
上記入力画像の表示サイズを、上記入力画像に含まれる最も小さい文字の大きさ、及び、上記距離に基づいて調整する調整ステップと、
上記入力画像を、上記調整ステップにおいて調整された表示サイズで、上記コンテンツと共に上記表示部に表示する表示ステップと、を含んでいる、
ことを特徴とする表示方法。
【請求項９】
請求項１から６のいずれか１項に記載の表示装置としてコンピュータを機能させるためのプログラムであって、コンピュータを上記各手段として機能させるためのプログラム。
【請求項１０】
請求項９に記載のプログラムを記録したコンピュータ読み取り可能な記録媒体。
【発明の詳細な説明】
【技術分野】
【０００１】
本発明は、表示装置、表示装置を備えたテレビジョン受像機、及び、表示装置の表示方法に関するものである。また、表示方法のプログラム、及び、記録媒体に関するものである。
【背景技術】
【０００２】
近年、テレビジョン受像機（テレビ）の利用方法の多様化により、例えばスマートフォンなどの携帯端末に表示される画像（携帯画像）を、テレビの備える大きなディスプレイに表示するという利用方法が新たに提案されている。
【０００３】
ここで、携帯端末を利用するユーザは、例えば携帯端末を手に取って操作するなど、ユーザ自身の至近距離で利用することが通常であることから、携帯端末には、ユーザが至近距離から読むことのできるサイズで文字が表示される。一方、テレビを視聴するユーザは、テレビからある程度距離の離れた位置から視聴することが通常である。
【０００４】
このため、携帯画像を、携帯端末に表示される表示サイズと同じサイズでテレビのディスプレイに表示した場合、ユーザはディスプレイに表示された携帯画像に含まれる文字を読むことが困難となる。
【０００５】
特許文献１には、基準文字サイズ及び原画像データに含まれる文字データに関する文字サイズの比率と、原画像データの画像サイズとを用いて、画像形成領域（表示部）に原画像を表示するために原画像のサイズを変更する際の目標画像サイズを決定する画像処理装置が記載されている。
【０００６】
なお、非特許文献１には、画像に含まれる文字の検出方法として、まず画像から文字領域を抽出し、次に複数の行又は列を含む文字領域を行又は列毎に分割し、そして分割した各行又は列の文字領域に含まれる各文字を検出する、という方法が開示されている。
【先行技術文献】
【特許文献】
【０００７】
【特許文献１】特開２００９−２５９２２３号公報（２００９年１１月５日公開）
【非特許文献】
【０００８】
【非特許文献１】“ＯＣＲ技術解説２”、［online］、メディアドライブ株式会社、［平成２５年２月２６日検索］、インターネット〈URL：http://mediadrive.jp/technology/techocr06.html〉
【発明の概要】
【発明が解決しようとする課題】
【０００９】
しかしながら、特許文献１に記載の技術では、画像処理装置とユーザとの距離に係らず、表示部に表示される原画像のサイズは一定に決まる。このため、ユーザが画像処理装置から遠ざかった場合には、表示部に表示される原画像に含まれる文字を読むことができなくなってしまうという問題がある。また、ユーザが画像処理装置に近づいた場合には、表示部に表示される原画像に含まれる文字が必要以上に大きく見えるため、読みづらくなってしまうという問題がある。
【００１０】
本発明は、上記の問題に鑑みてなされたものであり、その主たる目的は、ユーザとの距離によらず、外部から入力される画像を、当該画像に含まれる文字をユーザが認識可能なサイズで表示することのできる表示装置を提供することにある。
【課題を解決するための手段】
【００１１】
本発明の一態様に係る表示装置は、上記の課題を解決するために、コンテンツを表示部に表示する表示手段と、当該表示装置からユーザまでの距離を検出する距離検出手段と、外部機器から入力される入力画像に含まれる文字のうち、最も小さい文字の大きさを検出する文字サイズ検出手段と、上記入力画像の表示サイズを、上記入力画像に含まれる最も小さい文字の大きさ、及び、上記距離に基づいて調整する調整手段と、を備え、上記表示手段は、上記入力画像を、上記調整手段によって調整された表示サイズで、上記コンテンツと共に上記表示部に表示する、ことを特徴としている。
【００１２】
本発明の他の一態様に係る表示方法は、上記の課題を解決するために、コンテンツを表示部に表示する表示装置の表示方法であって、上記表示装置からユーザまでの距離を検出する距離検出ステップと、外部機器から入力される入力画像に含まれる文字のうち、最も小さい文字の大きさを検出する文字サイズ検出ステップと、上記入力画像の表示サイズを、上記入力画像に含まれる最も小さい文字の大きさ、及び、上記距離に基づいて調整する調整ステップと、上記入力画像を、上記調整ステップにおいて調整された表示サイズで、上記コンテンツと共に上記表示部に表示する表示ステップと、を含んでいる。
【発明の効果】
【００１３】
上記の構成によれば、上記表示装置は、上記入力画像に含まれる文字を、当該表示装置から上記ユーザまでの距離に適した大きさで表示することができる。したがって、上記表示装置は、当該表示装置からユーザまでの距離によらず、上記入力画像を、当該入力画像に含まれる文字をユーザが認識可能なサイズで表示することができる。
【図面の簡単な説明】
【００１４】
【図１】本発明の一実施形態に係るテレビの備える制御部の構成を示すブロック図である。
【図２】本発明の一実施形態に係るテレビの構成を示すブロック図である。
【図３】本発明の一実施形態に係るテレビの備える制御部において実行される処理の一例を示すフローチャートである。
【図４】本発明の一実施形態に係る携帯端末の表示部及びテレビの備えるＬＣＤに表示される表示画面の一例を示す図であり、（ａ）は携帯端末の表示部に表示されるサブ画像の一例を示し、（ｂ）はテレビのＬＣＤに表示されるメイン画像及びスケーリング後サブ画像の一例を示している。
【図５】ケースＢである場合にＬＣＤに表示されるスケーリング後サブ画像の一例を示す図である。
【図６】ケースＣでる場合にＬＣＤに表示されるスケーリング後サブ画像の一例を示す図である。
【図７】サブ画像における最小文字サイズ比が変化した場合の、ＬＣＤの表示画面の画面遷移図であり、（ａ）は最小文字サイズ比が変化する前の表示画面の一例を示し、（ｂ）は最小文字サイズ比が変化した後の表示画面の一例を示している。
【図８】本発明の一実施形態に係る携帯端末及びテレビに表示される表示画面の一例を示す図であり、（ａ）は携帯端末の表示部に表示されるサブ画像の一例を示し、（ｂ）はＬＣＤに表示されるメイン画像の一例を示し、（ｃ）は、ＬＣＤに表示されるスケーリング後のメイン画像及びサブ画像の一例を示している。
【図９】ケースＤである場合にＬＣＤに表示される表示画面の一例を示す図である。
【図１０】ケースＤ１である場合にＬＣＤに表示される表示画面の一例を示す図である。
【図１１】ケースＤ２である場合にＬＣＤに表示される表示画面の一例を示す図である。
【図１２】ケースＤ３である場合にＬＣＤに表示される表示画面の一例を示す図である。
【図１３】ケースＥである場合にＬＣＤに表示される表示画面の一例を示す図である。
【図１４】ケースＥ１である場合にＬＣＤに表示される表示画面の一例を示す図である。
【図１５】ケースＥ２である場合にＬＣＤに表示される表示画面の一例を示す図である。
【図１６】ケースＥ３である場合にＬＣＤに表示される表示画面の一例を示す図である。
【図１７】ケースＦである場合にＬＣＤに表示される表示画面の一例を示す図であり、（ａ）はスケーリング後サブ画像の縦幅がＬＣＤの縦幅を超える場合の表示画面の一例を示し、（ｂ）はスケーリング後メイン画像の縦幅がＬＣＤの縦幅を超える場合の表示画面の一例を示している。
【図１８】ケースＦ１である場合にＬＣＤに表示される表示画面の一例を示す図であり、（ａ）はスケーリング後メイン画像の表示サイズを保ちつつスケーリング後サブ画像が調整された場合の表示画面の一例を示し、（ｂ）はスケーリング後メイン画像の縦幅がＬＣＤ１１０の縦幅に合わせて調整された場合の表示画面の一例を示している。
【図１９】ケースＦ２である場合にＬＣＤに表示される表示画面の一例を示す図であり、（ａ）はスケーリング後サブ画像の縦幅がＬＣＤの縦幅に合わせて表示された場合の表示画面の一例を示し、（ｂ）はスケーリング後サブ画像の表示サイズを保ちつつスケーリング後メイン画像１ｄ’が調整された場合の表示画面の一例を示している。
【図２０】ケースＦ３である場合にＬＣＤに表示される表示画面の一例を示す図であって、（ａ）はスケーリング後のメイン画像及びサブ画像を均等な縮小率で縮小して調整した場合の表示画面の一例を示し、（ｂ）はスケーリング後のメイン画像及びサブ画像を均等な縮小率で縮小して調整した場合の表示画面の他の一例を示している。
【図２１】本発明の一実施形態に係るテレビのＬＣＤに表示される表示画面の他の一例を示す図である。
【図２２】本発明の一実施形態に係るテレビの備える制御部の文字認識部の構成を示すブロック図である。
【図２３】本発明の一実施形態に係る文字認識処理の流れを示すフローチャートである。
【図２４】本発明の一実施形態に係る文字認識処理の概要を示す図であって、（ａ）携帯端末から供給されるサブ画像の一例を示し、（ｂ）は文字領域検出部によって検出される文字領域の一例を示し、（ｃ）は最小文字サイズ検出部によって算出される文字領域のサイズの一例を示している。
【図２５】本発明の一実施形態に係る文字認識処理の他の一例を示す図であって、（ａ）は最小文字サイズ検出部によって算出される文字領域のサイズの一例を示し、（ｂ）は最小文字サイズ検出部によって算出される文字領域のサイズの他の一例を示している。
【図２６】本発明の一実施形態に係る文字認識処理のさらに他の一例を示す図である。
【図２７】本発明の一実施形態の変形例に係るサブ画像の一例を示す図であって、（ａ）は文字領域検出部によって検出される文字領域の一例を示し、（ｂ）は最小文字サイズ検出部によって検出される文字サイズの一例を示している。
【図２８】本発明の他の実施形態に係る携帯端末の要部構成を示すブロック図である。
【図２９】本発明の他の実施形態に係るサイズ比テーブルの一例を示す図である。
【図３０】本発明の他の実施形態に係る変化フラグテーブルの一例を示す図である。
【図３１】本発明の他の実施形態に係る携帯端末のサイズ比情報生成部におけるサブ画像送信処理の流れを示すフローチャートである。
【図３２】本発明の他の実施形態に係るテレビにおいて実行される処理の流れを示すフローチャートである。
【図３３】本発明の他の実施形態に係る携帯端末から送信されるサイズ比データ及び変化フラグと、テレビに表示されるスケーリング後サブ画像との関係の一例を示す図であって、（ａ）は携帯端末から送信されるサイズ比データ、変化フラグ及びサブ画像を示すデータの一例を示し、（ｂ）はテレビのＬＣＤに表示される表示画面の一例を示す図である。
【図３４】本発明の他の実施形態に係る携帯端末から送信されるサイズ比データ及び変化フラグと、テレビ１０に表示されるスケーリング後サブ画像との関係の他の一例を示す図であって、（ａ）は携帯端末から送信されるサイズ比データ、変化フラグ及びサブ画像を示すデータの他の一例を示し、（ｂ）はテレビのＬＣＤに表示される表示画面の他の一例を示す図である。
【図３５】本発明のさらに他の実施形態に係るテレビの備えるＬＣＤに表示される表示画面の一例を示す図であって、（ａ）はスケーリング後のメイン画像及びサブ画像を２画面横表示する場合の表示画面の一例を示し、（ｂ）はスケーリング後のメイン画像及びサブ画像を２画面縦表示する場合の表示画面の一例を示している。
【図３６】本発明のさらに他の実施形態に係るテレビに表示される表示画面の一例を示す図である。
【図３７】本発明のさらに他の実施形態に係るテレビのＬＣＤに表示される表示画面の遷移の一例を示す遷移図であって、（ａ）はサブ画像の表示が縦表示である場合のＬＣＤの表示画面の一例を示し、（ｂ）はサブ画像の表示が横表示に遷移した場合のＬＣＤの表示画面の一例を示している。
【図３８】本発明のさらに他の実施形態の変形例に係るテレビのＬＣＤに表示される表示画面の一例を示す図であって、（ａ）はサブ画像の表示が縦表示である場合のＬＣＤの表示画面の他の一例を示し、（ｂ）はサブ画像の表示が横表示に遷移した場合のＬＣＤの表示画面の他の一例を示している。
【図３９】本発明のさらに他の実施形態に係るテレビの備えるＬＣＤに表示される表示画面の他の一例を示す図であって、（ａ）はサブ画像とスケーリング後サブ画像とのアスペクト比が一定に保たれている場合の表示画面の一例を示し、（ｂ）はサブ画像とスケーリング後サブ画像とのアスペクト比が一定に保たれていない場合の表示画面の一例を示している。
【発明を実施するための形態】
【００１５】
＜実施形態１＞
本発明の一実施形態に係る表示装置について、図面に基づいて説明すれば以下のとおりである。なお、本実施形態に係る表示装置はテレビジョン受像機として実現されているので、以下ではこれを「テレビ」と呼ぶ。ただし、本発明の適用範囲は、テレビに限定されるものではない。
【００１６】
〔テレビの構成〕
まず、本実施形態に係るテレビ１０の構成を、図２を参照して説明する。図２は、本実施形態に係るテレビ１０の構成を示すブロック図である。
【００１７】
テレビ１０は、図２に示すように、外部入力端子１０１、地上デジタル放送チューナ１０２、衛星放送チューナ１０３、録画再生部１０４、ＢＤドライブ１０５、映像セレクタ１０６、映像処理回路（調整手段）１０７、ＯＳＤ（On-Screen Display）生成部１０８、ＬＣＤ（Liquid Crystal Display）コントローラ（表示手段）１０９、ＬＣＤ（表示部）１１０、音声セレクタ１１１、音声処理回路１１２、アンプ１１３、スピーカ１１４、外部入力部１１５、ＲＯＭ１１６、ＲＡＭ１１７、制御部１１８、赤外線受光部１１９、カメラ１２０、及び、無線通信部１２１を備えている。
【００１８】
図２においては、映像信号の経路を実線で、音声信号の経路を１点鎖線で、データや制御信号の経路（バス）を太線で示している。また、図２に示すように、テレビ１０は、外部入力部１１５又は無線通信部１２１を介して携帯端末（外部機器）３０と接続可能である。なお、図２に示すように、テレビ１０は、リモートコントローラ（リモコン）２０によって遠隔操作が可能に構成されている。
【００１９】
（外部入力端子）
外部入力端子１０１は、映像入力端子１０１ａと音声入力端子１０１ｂとを含む。映像入力端子１０１ａは、映像信号を入力するためのものであり、例えば、ＤＶＩ端子である。音声入力端子１０１ｂは、音声信号を入力するためのものであり、例えば、Ｓ／ＰＤＩＦ端子である。ただし、外部入力端子１０１は、これに限定されず、映像入力端子１０１ａと音声入力端子１０１ｂとが一体化されたＨＤＭＩ端子などであってもよい。
【００２０】
（チューナ）
地上デジタル放送チューナ１０２は、地上デジタル放送により放送される放送番組を受信するためのチューナである。地上デジタル放送チューナ１０２は、例えば、受信信号からＭＰＥＧ２ストリームを復調し、ＭＰＥＧ２ストリームから映像信号および音声信号を復号することができる。
【００２１】
地上デジタル放送チューナ１０２により復調されたＭＰＥＧ２ストリームは、バスを介して録画再生部１０４に供給される。また、地上デジタル放送チューナ１０２により復号された映像信号および音声信号は、それぞれ、映像セレクタ１０６および音声セレクタ１１１に供給さる。なお、地上デジタル放送チューナ１０２が何れのチャンネルを復調対象として選択するかは、制御部１１８により制御される。
【００２２】
なお、地上デジタル放送チューナ１０２は、異なるチャンネルを介して放送される２つのＭＰＥＧ２ストリームを同時に復調することが可能なダブルチューナであることが好ましい。もちろん、本発明に係る地上デジタル放送チューナ１０２は、ダブルチューナに限定されるものではなく、例えば、シングルチューナであってもよく、３つ以上のチューナを備える複数のチューナであってもよい。
【００２３】
衛星放送チューナ１０３は、衛星放送により放送される放送番組を受信するためのチューナである。衛星放送チューナ１０３は、放送衛星を用いて衛星放送されるＢＳ放送番組を受信するＢＳ放送用チューナ、及び、通信衛星を用いて衛星放送されるＣＳ放送番組を受信するＣＳ放送用チューナを備えている。また、衛星放送チューナ１０３は、例えば、受信信号ＭＰＥＧ２ストリームを復調し、ＭＰＥＧ２ストリームから映像信号を復号することができる。
【００２４】
衛星放送チューナ１０３により復調されたＭＰＥＧ２ストリームは、録画再生部１０４に供給される。また、衛星放送チューナ１０３により復号された映像信号および音声信号は、それぞれ、映像セレクタ１０６および音声セレクタ１１１に供給さる。なお、衛星放送チューナ１０３が何れのチャンネルを介して伝送されるＭＰＥＧ２データストリームを復調するかは、制御部１１８により選択される。
【００２５】
なお、本実施形態における衛星放送チューナ１０３が備えるＢＳ放送用チューナ及びＣＳ放送用チューナはそれぞれ、地上デジタル放送チューナ１０２と同様、異なるチャンネルを介して放送される２つの放送番組を同時に受信することが可能なダブルチューナであることが好ましい。
【００２６】
（録画再生部）
録画再生部１０４は、地上デジタル放送チューナ１０２および衛星放送チューナ１０３の何れかからＭＰＥＧ２ストリームを取得し、取得したＭＰＥＧ２ストリームを記録装置に書き込む。また、録画再生部１０４は、記録装置からＭＰＥＧ２ストリームを読み出し、読み出したＭＰＥＧ２ストリームから映像信号および音声信号を復号し、それぞれ、映像セレクタ１０６および音声セレクタ１１１に供給する。
【００２７】
なお、録画再生部１０４は、テレビ１０に内蔵されたＢＤドライブ１０５、テレビ１０に内蔵されたＨＤドライブ（不図示）、および、ＵＳＢ（Universal Serial Bus）インターフェース（不図示）に接続されたＵＳＢ−ＨＤドライブ（不図示）などを、ＭＰＥＧ２ストリームを記録するための記録装置として利用することができる。
【００２８】
（映像セレクタ）
映像セレクタ１０６には、上述した４種類の映像信号が供給される。すなわち、（１）外部入力端子１０１（特に映像入力端子１０１ａ）から入力された映像信号、（２）地上デジタル放送チューナ１０２にて復号された映像信号、（３）衛星放送チューナ１０３にて復号された映像信号、および、（４）録画再生部１０４（特に再生部）にて復号された映像信号が入力される。映像セレクタ１０６は、上記（１）〜（４）の映像信号のうちの何れか１つを選択する。映像セレクタ１０６によって選択された映像信号は、映像処理回路１０７に供給される。なお、映像セレクタ１０６が何れの映像信号を選択するかは、制御部１１８によって制御される。
【００２９】
（映像処理回路）
映像処理回路１０７は、映像セレクタ１０６から供給された映像信号に画質調整処理を施す。また、映像処理回路１０７は、映像セレクタ１０６から供給された映像信号にスケーリング処理を施す。ここで、画質調整処理とは、例えば、映像信号を加工することによって、その映像信号が表す映像の輝度、シャープネス、および、コントラストの少なくとも何れかを変更することを指す。また、スケーリング処理とは、映像信号を加工することによって、その映像信号が表す映像のサイズを相似拡大または相似縮小することを指す。映像処理回路１０７によって加工された映像信号は、ＬＣＤコントローラ１０９に供給される。なお、映像処理回路１０７が画質およびサイズをどのように変更するかは、制御部１１８によって制御されればよい。
【００３０】
映像処理回路１０７は、さらに、制御部１１８から、後述する表示サイズ情報を取得する。映像処理回路１０７は、取得した表示サイズ情報に基づき、映像セレクタ１０６から供給された映像信号、及び、外部入力部１１５又は無線通信部１２１を介して携帯端末３０から供給される画像を示す画像信号に対してスケーリング処理を施す。なお、表示サイズ情報、及び、スケーリング処理の詳細については、後述する。
【００３１】
以降では、映像セレクタ１０６から供給された映像信号（すなわち、ＬＣＤ１１０に全画面表示される画像を示す映像信号）を、単に「メイン画像」（コンテンツ）とも記載する。また、携帯端末３０から供給される画像を示す画像信号（すなわち、携帯端末３０に表示されている画像（動画像であってもよく、静止画像であってもよい）を示す画像信号）を、単に「サブ画像」（入力画像）とも記載する。
【００３２】
（ＯＳＤ生成部）
ＯＳＤ生成部１０８は、制御部１１８から供給されたＯＳＤデータからＯＳＤ画像を生成（レンダリング）する。ＯＳＤ生成部１０８が生成するＯＳＤ画像としては、電子番組表などが挙げられる。ＯＳＤデータとしては、例えば、ＳＶＧ（Scalable Vector Graphics）を用いることができる。ＯＳＤ生成部１０８により生成されたＯＳＤ画像は、映像処理回路１０７から供給された映像信号に重畳され、ＬＣＤコントローラ１０９に供給される。
【００３３】
（ＬＣＤコントローラ、ＬＣＤ）
ＬＣＤコントローラ１０９は、映像処理回路１０７から供給された映像信号に基づいて、その映像信号が表す映像を表示するようにＬＣＤ１１０を駆動する。また、ＯＳＤ生成部１０８からＯＳＤ画像が供給されている場合、ＬＣＤコントローラ１０９は、映像処理回路１０７から供給された映像信号にＯＳＤ画像が重畳されたものに基づいて、その映像信号が表す映像を表示するようにＬＣＤ１１０を駆動する。
【００３４】
（音声セレクタ）
音声セレクタ１１１には、上述した４種類の音声信号が供給される。すなわち、（１）外部入力端子１０１（特に音声入力端子１０１ｂ）から入力された音声信号、（２）地上デジタル放送チューナ１０２にて復号された音声信号、（３）衛星放送チューナ１０３にて復号された音声信号、および、（４）録画再生部１０４（特に再生部）にて復号された音声信号が入力される。音声セレクタ１１１は、上記（１）〜（４）の音声信号のうちの何れか１つを選択する。
【００３５】
音声セレクタ１１１によって選択された音声信号は、音声処理回路１１２に供給される。なお、音声セレクタ１１１が何れの音声信号を選択するかは、制御部１１８によって制御される。ただし、映像セレクタ１０６における映像の選択と、音声セレクタ１１１における音声の選択とは連動しており、例えば、映像セレクタ１０６が地上デジタル放送チューナ１０２から供給された映像信号を選択しているときには、音声セレクタ１１１も地上デジタル放送チューナ１０２から供給された音声信号を選択する。
【００３６】
（音声処理回路）
音声処理回路１１２は、音声セレクタ１１１から供給された音声信号に音量調整処理を施す。また、音声処理回路１１２は、音声セレクタ１１１から供給された音声信号に音質調整処理を施す。ここで、音量調整処理とは、音声信号を加工することによって、その音声信号が表す音声の音量を変更することを指す。また、音質調整処理とは、音声信号を加工することによって、その音声信号が表す音声の周波数特性を変更すること（例えば、低域の強調や高域の強調など）を指す。音声処理回路１１２によって加工された音声信号は、アンプ１１３に供給される。なお、音声処理回路１１２によって音量および音質をどのように変更するかは、制御部１１８によって制御される。
【００３７】
（アンプ、スピーカ）
アンプ１１３は、音声処理回路１１２から供給された音声信号に基づいて、その音声信号が表す音声を出力するようにスピーカ１１４を駆動する。
【００３８】
（制御部）
制御部１１８は、赤外線受光部１１９を介してリモコン２０から受信したリモコン信号、及び、カメラ１２０が撮像した画像に応じて上記各部を制御する。赤外線受光部１１９を用いた制御としては、例えば、地上デジタル放送チューナ１０２および衛星放送チューナ１０３の受信チャンネルをリモコン信号に応じて切り替える制御や、映像セレクタ１０６および音声セレクタ１１１にて選択する映像信号および音声信号をリモコン信号に応じて切り替える制御などが挙げられる。また、カメラ１２０を用いた制御としては、例えば、映像処理回路１０７にて画質をどのように調整するかを、撮像した画像に基づいて特定した視聴者に応じて切り替える制御などが挙げられる。
【００３９】
さらに、制御部１１８は、各放送局から提供されるＥＰＧ（Electronic Program Guide）データから放送番組テーブルを作成する機能を有している。なお、各放送局から提供されるＥＰＧデータは、例えば、地上デジタル放送チューナ１０２又は衛星放送チューナ１０３を用いて取得してもよいし、ネットワーク（例えば、インターネットなど）に接続されたサーバから取得してもよい。
【００４０】
（ＲＯＭ、ＲＡＭ）
ＲＯＭ１１６は、制御部１１８によって実行されるプログラムなどの固定データが格納される、読み出し可能かつ書き込み不能なメモリである。一方、ＲＡＭ１１７は、制御部１１８が演算のために参照するデータや、制御部１１８が演算によって生成したデータなどの可変データが格納される、読み出し可能かつ書き込み可能なメモリである。例えば、放送番組テーブルなどは、ＲＡＭ１１７に格納される。
【００４１】
（外部入力部、無線通信部）
外部入力部１１５、及び、無線通信部１２１は、有線又は無線により、携帯端末３０などの外部機器を接続するためのインターフェースである。
【００４２】
外部入力部１１５としては、例えば、インターネットに接続可能なイーサーネット（登録商標）インターフェースを挙げることができるが、これに限定されるものではない。外部入力部１１５は、例えば、ＵＳＢインターフェース、ＡＴＡ（Advanced Technology Attachment）、ＡＴＡＰＩ（ATA Packet Interface）、ＩＥＥＥ１３９４、ＨＤＭＩ（登録商標）（High-Definition Multimedia Interface）、および、ＬＡＮなどの有線接続用インターフェースであればよい。
【００４３】
また、無線通信部１２１としては、Ｂｌｕｅｔｏｏｔｈ（登録商標）、Ｗｉ−Ｆｉ（登録商標）、及び、ＩＥＥＥ８０２１１などの無線接続用インターフェースを挙げることができる。
【００４４】
〔制御部の構成〕
次に、本実施形態に係る制御部１１８の構成の詳細について、図１を参照して説明する。図１は、本実施形態に係るテレビ１０の備える制御部１１８の構成を示すブロック図である。
【００４５】
図１に示すように、本実施形態に係る制御部１１８は、スイッチング部１３１、文字認識部（文字サイズ検出手段）１３２、距離検出部（距離検出手段）１３３、ユーザ設定抽出部（ユーザ特定手段）１３４、及び、表示サイズ算出部（調整手段）１３５を備えている。
【００４６】
（スイッチング部）
スイッチング部１３１は、外部入力部１１５又は無線通信部１２１において取得されたサブ画像（入力画像）を、文字認識部１３２及び表示サイズ算出部１３５に供給するか否かを切り替える。
【００４７】
スイッチング部１３１がサブ画像を文字認識部１３２及び表示サイズ算出部１３５に供給する場合には、後述する文字認識処理及び表示サイズ算出処理が実行され、映像処理回路１０７においてサブ画像のスケーリング処理が実行される。
【００４８】
一方、スイッチング部１３１がサブ画像を文字認識部１３２及び表示サイズ算出部１３５に供給しない場合には、文字認識処理及び表示サイズ算出処理は実行されない。この場合には、映像処理回路１０７は、ＬＣＤ１１０に表示されるサブ画像（後述する、スケーリング後サブ画像）が所定の表示サイズとなるようサブ画像をスケーリング処理すればよい。
【００４９】
なお、所定の表示サイズは、ユーザによって予め定められていてもよいし、ＬＣＤ１００に表示されるサブ画像を参照して、例えばリモコン２０を介してユーザが適宜調整可能であってもよい。また、映像処理回路１０７は、ＬＣＤ１１０に表示されるサブ画像が携帯端末３０において表示される際のサイズと同じサイズとなるようサブ画像にスケーリング処理を施す構成を採用することもできる。
【００５０】
換言すれば、スイッチング部１３１は、映像処理回路１０７における表示サイズ算出処理の結果に応じたサブ画像のスケーリング処理の実行と非実行とを切り替える。以降では、映像処理回路１０７において、表示サイズ算出処理の結果に応じたサブ画像のスケーリング処理を実行可能にする場合をＯＮ状態とも記載し、実行不可とする場合をＯＦＦ状態とも記載する。
【００５１】
（文字認識部）
文字認識部１３２は、スイッチング部１３１から供給されるサブ画像に含まれる文字を認識し、認識した文字の中から最も小さい文字（最小文字）のサイズ（以降、最小文字サイズとも記載する）を検出する（以降、文字認識処理とも記載する）。なお、文字認識処理の詳細については後述する。
【００５２】
（距離検出部）
距離検出部１３３は、テレビ１０からユーザまでの距離を検出する。なお、距離検出部１３３におけるテレビ１０からユーザまでの距離は、例えば、カメラ１２０によって撮像された、テレビ１０を使用しているユーザの含まれる撮像画像から検出されればよい。なお、テレビ１０からユーザまでの距離の検出は、周知の技術を用いることができるため、ここではその説明を省略する。
【００５３】
（ユーザ設定抽出部）
ユーザ設定抽出部１３４は、例えばＲＡＭ１１７などの記録媒体に格納されている、予めテレビ１０を利用しているユーザによって設定されたユーザの好みの文字サイズ（基準文字サイズ）を抽出する。基準文字サイズは、例えば、テレビ１０とユーザとの距離が１０００ｍｍである場合にＬＣＤ１１０に表示される文字サイズを基準として、リモコン２０等を操作することによって予め入力可能であればよいが、特に限定されるものではない。
【００５４】
なお、ユーザ設定抽出部１３４は、基準文字サイズを抽出するに際し、テレビ１０を利用しているユーザを特定する処理を実行する。テレビ１０を使用しているユーザは、例えば、カメラ１２０によって撮像された撮像画像から、周知の技術を用いることによって特定することができるため、ここではその説明を省略する。
【００５５】
（表示サイズ算出部）
表示サイズ算出部１３５は、文字認識部１３２において検出された最小文字サイズと、サブ画像のサイズとから、サブ画像をＬＣＤ１１０に表示する際に、テレビ１０を使用（視聴）しているユーザに最適な表示サイズを算出する表示サイズ算出処理を実行する。表示サイズ算出部１３５は、算出した表示サイズを示す表示サイズ情報を映像処理回路１０７へ供給する。換言すれば、本実施形態においては、表示サイズ算出部１３５と映像処理回路１０７とによって、調整手段を構成している。
【００５６】
より具体的には、表示サイズ算出部１３５は、（１）最小文字サイズ、（２）テレビ１０からユーザまでの距離、及び、（３）テレビ１０を使用しているユーザが予め設定している基準文字サイズに基づいて、表示サイズ算出処理を実行する。表示サイズ算出処理の算出の詳細については、後述する。
【００５７】
テレビ１０は、上記（１）及び（２）により、サブ画像に含まれる文字を、テレビ１０からユーザまでの距離に適した大きさで表示することができる。したがって、テレビ１０は、テレビ１０からユーザまでの距離によらず、サブ画像を、当該サブ画像に含まれる文字をユーザが認識可能なサイズで表示することができる。
【００５８】
また、テレビ１０は、（３）により、テレビ１０からユーザまでの距離によらず、サブ画像に含まれる文字がユーザの好みのサイズにより合致したサイズとなるよう調整された表示サイズで、サブ画像を表示することができる。
【００５９】
なお、本実施形態では、表示サイズ算出部１３５は、（１）〜（３）に基づいて表示サイズ算出処理を実行する構成を例に挙げて説明するが、本発明はこれに限定されるものではない。例えば、表示サイズ算出部１３５は、（１）及び（２）に基づいて表示サイズ算出処理を実行してもよいし、（１）及び（３）に基づいて表示サイズ算出処理を実行してもよい。
【００６０】
〔制御部における処理の概要〕
次に、本実施形態に係るテレビ１０の備える制御部１１８において実行される処理の概要について、図３を参照して説明する。図３は、本実施形態に係るテレビ１０の備える制御部１１８において実行される処理の一例を示すフローチャートである。
【００６１】
外部入力部１１５又は無線通信部１２１においてサブ画像を取得すると（ステップＳ１０１）、制御部１１８は、スイッチング部１３１がＯＮ状態であるか否かを判定する（ステップＳ１０２）。スイッチング部１３１がＯＦＦ状態である場合（ステップＳ１０２においてＮＯ）、制御部１１８は、サブ画像がそのままＬＣＤ１１０に表示されるよう、映像処理回路１０７を制御する（ステップＳ１０３）。
【００６２】
スイッチング部１３１がＯＮ状態である場合（ステップＳ１０２においてＹＥＳ）、文字認識部１３２は、スイッチング部１３１を介して供給されるサブ画像に対して文字認識処理を実行する（ステップＳ１０４）。
【００６３】
次に、距離検出部１３３は、カメラ１２０によって撮像された撮像画像から、テレビ１０を使用しているユーザと、当該テレビ１０との距離を検出する（ステップＳ１０５）。また、ユーザ設定抽出部１３４は、カメラ１２０によって撮像された撮像画像から、テレビ１０を使用しているユーザを特定し、特定されたユーザによって予め設定されている基準文字サイズをＲＡＭ１１７から抽出する（ステップＳ１０６）。
【００６４】
表示サイズ算出部１３５は、（１）文字認識部１３２によって検出された最小文字サイズ、（２）距離検出部１３３によって検出されたテレビ１０からユーザまでの距離、及び、（３）ユーザ設定抽出部１３４によって抽出された基準文字サイズに基づいて、表示サイズ算出処理を実行する（ステップＳ１０７）。表示サイズ算出部１３５は、算出した表示サイズを、表示サイズ情報として映像処理回路１０７に供給する（ステップＳ１０８）。
【００６５】
制御部１１８は、サブ画像をＬＣＤ１１０に表示させる場合には、上述したステップＳ１０１〜Ｓ１０８の処理を繰り返し実行すればよい。
【００６６】
〔表示サイズ算出処理〕
次に、本実施形態に係るテレビ１０の備える制御部１１８の表示サイズ算出部１３５におけるサブ画像の表示サイズ算出処理について、図４から図２１を参照して説明する。
【００６７】
〔サブ画像をメイン画像に重畳表示する場合〕
まず、サブ画像のみの表示サイズを算出する場合（すなわち、サブ画像をメイン画像に重畳して表示する場合）の表示サイズ算出処理について、図４から図７を参照して説明する。この場合には、ＬＣＤ１１０には、図４に示すように、映像処理回路１０７においてスケーリング処理の施されたサブ画像３ｂ（以降では、スケーリング後サブ画像とも記載する）が、メイン画像１ａに重畳された状態で表示されることになる。
【００６８】
図４は、本実施形態に係る携帯端末３０の表示部（不図示）、及び、テレビ１０の備えるＬＣＤ１１０に表示される表示画面の一例を示す図である。図４（ａ）は、携帯端末３０の表示部に表示されるサブ画像３ａの一例を示し、（ｂ）は、テレビ１０のＬＣＤ１１０に表示されるメイン画像１ａ及びスケーリング後サブ画像３ｂの一例を示している。なお、以降では、サブ画像、メイン画像、スケーリング後サブ画像、及び、後述するスケーリング後メイン画像の、図４におけるｘ軸方向の長さを「横幅」とも記載し、ｙ軸方向の長さを「縦幅」とも記載する。
【００６９】
ここで、図４（ａ）に示すように、サブ画像３ａの横幅をＸｓ１（ｍｍ）、縦幅をＹｓ１（ｍｍ）とする。また、サブ画像３ａに含まれる最小文字（図４（ａ）においては、「Ａ」）の最小文字サイズの横幅をＸｓ２（ｍｍ）、縦幅をＹｓ２（ｍｍ）とする。なお、本実施形態では、Ｘｓ２＝Ｙｓ２である場合を例に挙げて説明するが、これに限定されるものではない。
【００７０】
また、図４（ｂ）に示すように、メイン画像１ａの横幅をＸｔ１（ｍｍ）、縦幅をＹｔ１（ｍｍ）とし、スケーリング後サブ画像３ｂの横幅をＸｄｓ１（ｍｍ）、縦幅をＹｄｓ１（ｍｍ）とする。スケーリング後サブ画像３ｂに含まれる最小文字サイズの横幅をＸｄｓ２（ｍｍ）、縦幅をＹｄｓ２（ｍｍ）とする。
【００７１】
また、距離検出部１３３によって検出されるテレビ１０とユーザとの距離をＤ（ｍｍ）とし、Ｄ＝１０００（ｍｍ）であるときを基準として予め設定されている基準文字サイズ（以降、サブ画像用基準文字サイズとも記載する）をＳｓ（ｍｍ）とする。
【００７２】
なお、本実施形態では、表示サイズ算出部１３５において、サブ画像３ａのアスペクト比（Ｙｓ１／Ｘｓ１）と、スケーリング後サブ画像３ｂのアスペクト比（Ｙｄｓ１／Ｘｄｓ１）とが一定となるように、スケーリング後サブ画像３ｂの表示サイズを算出する場合を例に挙げて説明する。
【００７３】
また、サブ画像３ａのアスペクト比と、スケーリング後サブ画像３ｂのアスペクト比が一定であることから、Ｘｓ２：Ｘｓ１＝Ｘｄｓ２：Ｘｄｓ１、Ｙｓ２：Ｙｓ１＝Ｙｄｓ２：Ｙｄｓ１を満たす。これらの条件のもと、表示サイズ算出部１３５は、以下のようにスケーリング後サブ画像３ｂの表示サイズ（横幅Ｘｄｓ１及び縦幅Ｙｄｓ１）を算出する。
【００７４】
まず、スケーリング後サブ画像３ｂの横幅Ｘｄｓ１及び縦幅Ｙｄｓ１は、それぞれ、
Ｘｄｓ１＝（Ｘｄｓ２／Ｘｓ２）＊Ｘｓ１  ・・・（１）
Ｙｄｓ１＝（Ｙｄｓ２／Ｙｓ２）＊Ｙｓ１  ・・・（２）
と表される。
【００７５】
また、スケーリング後サブ画像３ｂに含まれる最小文字サイズ（本実施形態では、Ｘｄｓ２＝Ｙｄｓ２）は、テレビ１０からユーザまでの距離Ｄに正比例する。これにより、スケーリング後サブ画像３ｂに含まれる最小文字サイズを、ユーザが文字を認識できる最低限のサイズ以上に保つことができる。具体的には、スケーリング後サブ画像３ｂに含まれる最小文字サイズは、テレビ１０とユーザとの距離ＤがＤ＝１０００（ｍｍ）であるときのサブ画像用基準文字サイズがＳｓであることから、
Ｘｄｓ２＝Ｙｄｓ２＝（Ｓｓ＊Ｄ）／１０００  ・・・（３）
となる。
【００７６】
式（１）〜（３）より、スケーリング後サブ画像３ｂの表示サイズ（横幅Ｘｄｓ１、及び、縦幅Ｙｄｓ１）は、それぞれ、
Ｘｄｓ１＝Ｓｓ＊Ｄ＊（Ｘｓ１／１０００Ｘｓ２）  ・・・（４）
Ｙｄｓ１＝Ｓｓ＊Ｄ＊（Ｙｓ１／１０００Ｙｓ２）  ・・・（５）
となる。
【００７７】
ただし、式（４）及び（５）の計算の結果、Ｘｄｓ１＞Ｘｔ１、あるいは、Ｙｄｓ１＞Ｙｔ１となった場合には、スケーリング後サブ画像３ｂの全体をＬＣＤ１１０に表示することができない。本実施形態では、表示サイズ算出部１３５は、このような場合に、Ｘｄｓ１≦Ｘｔ１、及び、Ｙｄｓ１≦Ｙｔ１となるように縮小することにより、スケーリング後サブ画像３ｂの全体をＬＣＤ１１０に表示する。
【００７８】
なお、本発明はこれに限定されるものではなく、例えば、表示サイズ算出部１３５は、スケーリング後サブ画像３ｂを縮小することなく、スケーリング後サブ画像３ｂのうちの表示可能な範囲（スケーリング後サブ画像３ｂの一部）をＬＣＤ１１０に表示してもよい。
【００７９】
上述のことから、表示サイズ算出部１３５において算出されるスケーリング後サブ画像３ｂの表示サイズは、次のケースＡ〜Ｃに分けられる。
【００８０】
（ケースＡ）
式（４）及び（５）の計算の結果が、Ｘｄｓ１≦Ｘｔ１、及び、Ｙｄｓ１≦Ｙｔ１である場合を、ケースＡとする。ケースＡの場合には、表示サイズ算出部１３５において算出されるスケーリング後サブ画像３ｂの表示サイズは、式（４）及び（５）の計算結果と等しくなる。
【００８１】
（ケースＢ）
式（４）及び（５）の計算の結果が、（ｉ）Ｘｄｓ１≦Ｘｔ１、かつ、Ｙｄｓ１＞Ｙｔ１、又は、（ｉｉ）Ｘｄｓ１＞Ｘｔ１、かつ、Ｙｄｓ１＞Ｙｔ１、かつ、（Ｙｄｓ１／Ｘｄｓ１）≧（Ｙｔ１／Ｘｔ１）である場合を、ケースＢとする。換言すれば、ケースＢでは、図５において点線で示すように、スケーリング後サブ画像３ｂの縦幅Ｙｄｓ１が、ＬＣＤ１１０の縦幅Ｙｔ１よりも大きい。
【００８２】
図５は、ケースＢである場合に、ＬＣＤ１１０に表示されるスケーリング後サブ画像の一例を示す図である。
【００８３】
表示サイズ算出部１３５は、ケースＢの場合、図５に示すように、Ｙｄｓ１の値を最大でもＹｔ１までとしてスケーリング後サブ画像３ｂ’の表示サイズを算出する。これにより、表示サイズ算出部１３５において算出されるスケーリング後サブ画像３ｂ’の表示サイズは、
Ｘｄｓ１＝（Ｘｓ１／Ｙｓ１）＊Ｙｔ１  ・・・（６）
Ｙｄｓ１＝Ｙｔ１  ・・・（７）
となる。
【００８４】
なお、式（６）におけるＸｓ１／Ｙｓ１の値は、（Ｘｓ１／Ｘｓ２）及び（Ｙｓ１／Ｙｓ２）の値から、表示サイズ算出部１３５において、
（Ｘｓ１／Ｘｓ２）／（Ｙｓ１／Ｙｓ２）＝Ｘｓ１／Ｙｓ１
により算出することができる。
【００８５】
（ケースＣ）
式（４）及び（５）の計算の結果が、（ｉ）Ｘｄｓ１＞Ｘｔ１、かつ、Ｙｄｓ１≦Ｙｔ１、又は、（ｉｉ）Ｘｄｓ１＞Ｘｔ１、かつ、Ｙｄｓ１＞Ｙｔ１、かつ、（Ｙｄｓ１／Ｘｄｓ１）＜（Ｙｔ１／Ｘｔ１）である場合を、ケースＣとする。換言すれば、ケースＣでは、図６において点線で示すように、スケーリング後サブ画像３ｂの横幅Ｘｄｓ１が、ＬＣＤ１１０の横幅Ｘｔ１よりも大きい。
【００８６】
図６は、ケースＣである場合に、ＬＣＤ１１０に表示されるスケーリング後サブ画像の一例を示す図である。
【００８７】
表示サイズ算出部１３５は、ケースＣの場合には、図６に示すように、Ｘｄｓ１の値を最大でもＸｔ１までとしてスケーリング後サブ画像３ｂ”の表示サイズを算出する。これにより、表示サイズ算出部１３５において算出されるスケーリング後サブ画像３ｂ”の表示サイズは、
Ｘｄｓ１＝Ｘｔ１  ・・・（８）
Ｙｄｓ１＝（Ｙｓ１／Ｘｓ１）＊Ｘｔ１  ・・・（９）
となる。
【００８８】
なお、ケースＢ、Ｃにおいては、ＬＣＤ１１０に表示されるスケーリング後サブ画像３ｂ”に含まれる最小文字のサイズが、ユーザに最適な大きさ（式（４）及び（５）の計算結果）よりも小さくなっている。このため、ケースＢ、Ｃの場合には、テレビ１０は、スケーリング後サブ画像３ｂ”に含まれる最小文字のサイズがユーザに最適なサイズよりも小さいことを示すコーションを表示してもよい。このコーションは、例えば、ＯＳＤ生成部１０８によって生成されればよい。また、テレビ１０は、スケーリング後サブ画像３ｂ”に含まれる最小文字と比較可能なように、ユーザに最適なサイズの文字を表示してもよい。
【００８９】
なお、上述では、算出した最小文字サイズに基づいてサブ画像にスケーリング処理を施す構成を例に挙げて説明したが、本発明はこれに限定されるものではない。例えば、サブ画像のサイズに対する、最小文字サイズの比（最小文字サイズ比）を算出し、算出した最小文字サイズ比に基づいてサブ画像にスケーリング処理を施す構成を採用することもできる。
【００９０】
（最小文字サイズ比が変化する場合）
ここで、サブ画像３ａのサイズに対する、サブ画像３ａに含まれる最小文字サイズの比（最小文字サイズ比）が変化した場合のスケーリング後サブ画像３ｂの表示サイズの変化について、図７を参照して説明する。
【００９１】
なお、最小文字サイズ比については、例えば、Ｘｓ２／Ｘｓ１、及び、Ｙｓ２／Ｙｓ１により、算出することができる。ここでは、Ｄ＝２０００ｍｍ、Ｓ＝４ｍｍ、Ｘｔ１＝２４０ｍｍ、Ｙｔ１＝３６０ｍｍである場合を例に挙げて説明する。
【００９２】
図７は、サブ画像３ａにおける最小文字サイズ比が変化した場合の、ＬＣＤ１１０の表示画面の画面遷移図である。図７（ａ）は、最小文字サイズ比が変化する前の表示画面の一例を示し、（ｂ）は、最小文字サイズ比が変化した後の表示画面の一例を示している。
【００９３】
まず、変化する前の最小文字サイズ比がＸｓ２／Ｘｓ１＝１／３０、Ｙｓ２／Ｙｓ１＝１／４５である場合、表示サイズ算出部１３５における表示サイズ算出処理により、スケーリング後サブ画像３ｂの表示サイズが、式（４）及び（５）から、
Ｘｄｓ１＝（４＊２０００＊３０）／１０００＝２４０ｍｍ
Ｙｄｓ１＝（４＊２０００＊４５）／１０００＝３６０ｍｍ
と、算出される。この表示サイズに基づいて映像処理回路１０７においてサブ画像３ａにスケーリング処理が施され、ＬＣＤ１１０には、図７（ａ）に示すように、スケーリング後サブ画像３ｂが表示される。
【００９４】
その後、最小文字サイズ比がＸｓ２／Ｘｓ１＝１／２０、Ｙｓ２／Ｙｓ１＝１／３０に変化した場合には、表示サイズ算出部１３５における表示サイズ算出処理により、スケーリング後サブ画像３ｃの表示サイズが、式（４）及び（５）から、
Ｘｄｓ１＝（４＊２０００＊２０）／１０００＝１６０ｍｍ
Ｙｄｓ１＝（４＊２０００＊３０）／１０００＝２４０ｍｍ
と、算出される。この表示サイズに基づいて映像処理回路１０７においてサブ画像３ａにスケーリング処理が施され、ＬＣＤ１１０には、図７（ｂ）に示すように、変化後の表示サイズのスケーリング後サブ画像３ｃが表示される。
【００９５】
このようにして、テレビ１０は、サブ画像における最小文字サイズ比が変化した場合にも、ユーザに最適なスケーリング処理の施されたサブ画像を、メイン画像に重畳してＬＣＤ１１０に表示することができる。
【００９６】
〔サブ画像及びメイン画像を２画面表示する場合〕
なお、本実施形態では、サブ画像をスケーリングすると共に、スケーリング後サブ画像をメイン画像に重畳して表示する場合を例に挙げて説明したが、本発明はこれに限定されるものではない。例えば、スケーリング後サブ画像と重ならないようにメイン画像をスケーリングし、スケーリング後サブ画像とスケーリング後のメイン画像（スケーリング後メイン画像）とを、ＬＣＤ１１０の異なる領域に表示する構成を採用することもできる。
【００９７】
これによって、テレビ１０は、サブ画像を表示した場合にサブ画像がメイン画像に重畳されることによって、メイン画像の一部をユーザが見ることができなくなってしまうことを防ぐことができる。
【００９８】
なお、以降では、スケーリング後のサブ画像及びメイン画像をＬＣＤ１１０の異なる領域に表示することを、「２画面表示」とも記載する。
【００９９】
さらに、表示サイズ算出部１３５は、メイン画像に文字が含まれている場合、上述したスケーリング後サブ画像の表示サイズの算出と同様にして、スケーリング後メイン画像の表示サイズを算出してもよい。以降、メイン画像及びサブ画像の双方をスケーリングして２画面表示する場合について、図８から図２１を参照して説明する。
【０１００】
図８は、本実施形態に係る携帯端末３０及びテレビ１０に表示される表示画面の一例を示す図である。図８（ａ）は、携帯端末３０の表示部に表示されるサブ画像３ａの一例を示し、（ｂ）は、ＬＣＤ１１０に表示されるメイン画像１ａの一例を示し、（ｃ）は、ＬＣＤ１１０に表示されるスケーリング後のメイン画像１ｄおよびサブ画像３ｄの一例を示している。
【０１０１】
なお、２画面表示を行う場合には、表示サイズ算出部１３５は、各パラメータを例えば以下のように設定して、スケーリング後サブ画像３ｂの表示サイズの算出と同様に、スケーリング後のメイン画像１ｄ及びサブ画像３ｄの表示サイズを算出すればよい。
【０１０２】
メイン画像１ａに含まれる最小文字サイズの横幅をＸｔ２（ｍｍ）、縦幅をＹｔ２（ｍｍ）（本実施形態では、Ｘｔ２＝Ｙｔ２）とする。スケーリング後メイン画像１ｄの横幅をＸｄｔ１（ｍｍ）、縦幅をＹｄｔ１（ｍｍ）とし、スケーリング後メイン画像１ｄに含まれる最小文字サイズの横幅をＸｄｔ２（ｍｍ）、縦幅をＹｄｔ２（ｍｍ）とする。また、Ｄ＝１０００（ｍｍ）であるときを基準として予め設定されている基準文字サイズ（メイン画像用基準文字サイズ）をＳｔ（ｍｍ）とする。
【０１０３】
このとき、表示サイズ算出部１３５は、スケーリング後メイン画像１ｄの表示サイズ（横幅Ｘｄｔ１、及び、縦幅Ｙｄｔ１）を、それぞれ、スケーリング後サブ画像３ｂの表示サイズの算出と同様に、
Ｘｄｔ１＝Ｓｔ＊Ｄ＊（Ｘｔ１／１０００Ｘｔ２）  ・・・（１０）
Ｙｄｔ１＝Ｓｔ＊Ｄ＊（Ｙｔ１／１０００Ｙｔ２）  ・・・（１１）
によって算出することができる。
【０１０４】
この場合には、表示サイズ算出部１３５は、スケーリング後サブ画像３ｄの表示サイズと共に、スケーリング後メイン画像１ｄの表示サイズを表示サイズ情報として映像処理回路１０７に供給すればよい。また、映像処理回路１０７は、表示サイズ算出部１３５から取得した表示サイズ情報に基づき、サブ画像３ａおよびメイン画像１ａの双方にスケーリング処理を施せばよい。
【０１０５】
これにより、スケーリング後メイン画像１ｄおよびスケーリング後サブ画像３ｄは、例えば、図８に示すように、ＬＣＤ１１０に２画面表示される。
【０１０６】
一方で、サブ画像３ａ及びメイン画像１ａを共にスケーリング処理して２画面表示を行う場合には、スケーリング後の各画像の表示領域に隙間ができたり、重なったり、一方又は双方の表示サイズがＬＣＤ１１０のサイズを超えてしまう場合がある。
【０１０７】
スケーリング後のサブ画像３ｄ及びメイン画像１ｄの表示領域が離れてしまう場合には、各画像に含まれる文字はユーザに適したサイズに保たれるものの、画像全体としての視認性が低下してしまう。また、スケーリング後のサブ画像３ｄ及びメイン画像１ｄの表示領域が重なったり、表示サイズがＬＣＤ１１０のサイズを超えてしまう場合には、少なくとも一方の画像が途中で途切れてしまうため、画像全体としての視認性が低下してしまう。
【０１０８】
このような場合には、表示サイズ算出部１３５は、以下に示すケースＤ〜Ｆの各々において、最適な各画面のサイズを計算することが好ましい。さらに、テレビ１０は、ユーザにより、ケースＤ〜Ｆの各々において、例えば（１）スケーリング後メイン画像１ｄの表示を優先する場合、（２）スケーリング後サブ画像３ｄの表示を優先する場合、及び、（３）何れも優先しない場合などの設定が可能であることが好ましい。
【０１０９】
（ケースＤ）
表示サイズ算出部１３５における式（４）及び（１０）の計算の結果、スケーリング後メイン画像１ｄとスケーリングサブ画像３ｄとの間に隙間が生じる場合、すなわち、Ｘｄｓ１＋Ｘｄｔ１＜Ｘｔ１となる場合を、ケースＤとする。ケースＤの場合、例えば、図９に示すように、スケーリング後メイン画像１ｄ、及び、スケーリング後サブ画像３ｄは、各々離間してＬＣＤ１１０に表示されることになる。
【０１１０】
図９は、ケースＤである場合にＬＣＤ１１０に表示される表示画面の一例を示す図である。
【０１１１】
表示サイズ算出部１３５は、このような場合には、スケーリング後メイン画像１ｄ及びスケーリング後サブ画像３ｄの表示サイズを適切に調整するための調整値（表示サイズ調整値とも記載する）を算出する。
【０１１２】
ケースＤ１
ケースＤの場合であって、テレビ１０に、予めスケーリング後メイン画像１ｄの優先度がスケーリング後サブ画像３ｄの優先度よりも高く設定されている（すなわち、スケーリング後メイン画像１ｄの表示を優先する設定がされている）場合を、ケースＤ１とする。ケースＤ１の場合には、表示サイズ算出部１３５は、図１０に示すように、ＬＣＤ１１０に、スケーリング後メイン画像１ｄのみのサイズが調整（拡大）されて、スケーリング後メイン画像１ｄ’として表示されるように、表示サイズ調整値を算出する。
【０１１３】
図１０は、ケースＤ１である場合にＬＣＤ１１０に表示される表示画面の一例を示す図である。
【０１１４】
具体的には、表示サイズ算出部１３５は、スケーリング後メイン画像１ｄ’の表示サイズが、スケーリング後サブ画像３ｄの一端をＬＣＤ１１０の長手方向の一端に接する状態で表示させた場合に、スケーリング後メイン画像１ｄ’の一端をＬＣＤ１１０の長手方向の他の一端に接するように表示させた状態で当該スケーリング後メイン画像１ｄ’の他の一端がスケーリング後サブ画像３ｄの他の一端に接する表示サイズに調整されるよう、表示サイズ調整値を算出する。
【０１１５】
ケースＤ２
ケースＤの場合であって、テレビ１０に、予めスケーリング後サブ画像３ｄの優先度がスケーリング後メイン画像１ｄの優先度よりも高く設定されている場合を、ケースＤ２とする。ケースＤ２の場合には、表示サイズ算出部１３５は、図１１に示すように、スケーリング後サブ画像３ｄのみが調整されて、スケーリング後サブ画像３ｄ’としてＬＣＤ１１０に表示されるように、表示サイズ調整値を算出する。
【０１１６】
図１１は、ケースＤ２である場合にＬＣＤ１１０に表示される表示画面の一例を示す図である。
【０１１７】
ケースＤ３
ケースＤの場合であって、テレビ１０に、予めスケーリング後のメイン画像１ｄ及びサブ画像３ｄに等しい優先度が設定がされている場合を、ケースＤ３とする。ケースＤ３の場合には、表示サイズ算出部１３５は、図１２に示すように、スケーリング後のメイン画像１ｄ及びサブ画像３ｄの表示サイズの双方が調整されて、スケーリング後のメイン画像１ｄ’及びサブ画像３ｄ’としてＬＣＤ１１０に表示されるように、表示サイズ調整値を算出する。
【０１１８】
図１２は、ケースＤ３である場合にＬＣＤ１１０に表示される表示画面の一例を示す図である。
【０１１９】
なお、表示サイズ算出部１３５は、スケーリング後のメイン画像及びサブ画像に優先度が設定されていない場合にも、ケースＤ３と同様にスケーリング後のメイン画像及びサブ画像の表示サイズが調整されて表示されるように、表示サイズ調整値を算出してもよい。
【０１２０】
（ケースＥ）
表示サイズ算出部１３５における式（４）及び（１０）の計算の結果、スケーリング後メイン画像１ｄとスケーリング後サブ画像３ｄとが重なる場合、すなわち、Ｘｄｓ１＋Ｘｄｔ１＞Ｘｔ１となる場合を、ケースＥとする。ケースＥの場合、スケーリング後メイン画像１ｄ、及び、スケーリング後サブ画像３ｄは、例えば、図１３に示すように、一方の画像の一部が他方の画像の一部に重畳してＬＣＤ１１０に表示されることになる。
【０１２１】
図１３は、ケースＥである場合にＬＣＤ１１０に表示される表示画面の一例を示す図である。
【０１２２】
ケースＥ１
ケースＥの場合であって、テレビ１０に予めスケーリング後メイン画像１ｄの表示を優先する設定がされている場合を、ケースＥ１とする。ケースＥ１の場合には、表示サイズ算出部１３５は、図１４に示すように、ＬＣＤ１１０に、スケーリング後サブ画像３ｄのみが調整（縮小）されて、スケーリング後サブ画像３ｄ’として表示されるように、表示サイズ調整値を算出する。
【０１２３】
図１４は、ケースＥ１である場合にＬＣＤ１１０に表示される表示画面の一例を示す図である。
【０１２４】
具体的には、表示サイズ算出部１３５は、スケーリング後サブ画像３ｄ’の表示サイズが、スケーリング後メイン画像１ｄの一端をＬＣＤ１１０の長手方向の一端に接する状態で表示させた場合に、スケーリング後サブ画像３ｄ’の一端をＬＣＤ１１０の長手方向の他の一端に接するように表示させた状態で当該スケーリング後サブ画像３ｄ’の他の一端がスケーリング後メイン画像１ｄの他の一端に接する表示サイズとなるように、表示サイズ調整値を算出する。
【０１２５】
ケースＥ２
ケースＥの場合であって、テレビ１０に予めスケーリング後サブ画像３ｄの表示を優先する設定がされている場合を、ケースＥ２とする。ケースＥ２の場合には、表示サイズ算出部１３５は、図１５に示すように、ＬＣＤ１１０に、スケーリング後メイン画像１ｄのみが調整されて、スケーリング後メイン画像１ｄ’として表示されるように、表示サイズ調整値を算出する。
【０１２６】
図１５は、ケースＥ２である場合にＬＣＤ１１０に表示される表示画面の一例を示す図である。
【０１２７】
ケースＥ３
ケースＥの場合であって、テレビ１０に、予めスケーリング後のメイン画像１ｄ及びサブ画像３ｄに等しい優先度が設定がされている場合を、ケースＥ３とする。ケースＥ３の場合には、表示サイズ算出部１３５は、図１６に示すように、スケーリング後のメイン画像１ｄ及びサブ画像３ｄの表示サイズが共に調整され、スケーリング後のメイン画像１ｄ’及びサブ画像３ｄ’としてＬＣＤ１１０に表示されるように、表示サイズ調整値を算出する。
【０１２８】
図１６は、ケースＥ３である場合にＬＣＤ１１０に表示される表示画面の一例を示す図である。
【０１２９】
（ケースＦ）
表示サイズ算出部１３５における式（５）及び（１１）の計算の結果、スケーリング後メイン画像またはスケーリングサブ画像の縦幅がＬＣＤ１１０の縦幅を超える場合、すなわち、Ｙｄｓ１＞Ｙｔ１、または、Ｙｄｔ１＞Ｙｔ１となる場合を、ケースＦとする。ケースＦの場合、スケーリング後メイン画像１ｄおよびスケーリング後サブ画像３ｄの少なくとも一方は、例えば、図１７（ａ）及び（ｂ）に示すように、ＬＣＤ１１０にその全体が表示できなくなる。
【０１３０】
図１７は、ケースＦである場合にＬＣＤ１１０に表示される表示画面の一例を示す図である。図１７（ａ）は、スケーリング後サブ画像３ｄの縦幅がＬＣＤ１１０の縦幅を超える場合の表示画面の一例を示し、（ｂ）は、スケーリング後メイン画像１ｄの縦幅がＬＣＤ１１０の縦幅を超える場合の表示画面の一例を示している。
【０１３１】
ケースＦ１
ケースＦの場合であって、テレビ１０に、予めスケーリング後メイン画像１ｄの優先度が高く設定されている場合を、ケースＦ１とする。ケースＦ１の場合には、表示サイズ算出部１３５は、図１８に示すように、スケーリング後メイン画像１ｄが優先されてＬＣＤ１１０に表示されるように、表示サイズ調整値を算出する。
【０１３２】
図１８は、ケースＦ１である場合にＬＣＤ１１０に表示される表示画面の一例を示す図である。図１８（ａ）は、スケーリング後メイン画像１ｄの表示サイズを保ちつつスケーリング後サブ画像３ｄが調整された場合の表示画面の一例を示し、（ｂ）は、スケーリング後メイン画像１ｄの縦幅がＬＣＤ１１０の縦幅に合わせて調整された場合の表示画面の一例を示している。
【０１３３】
まず、スケーリング後のメイン画像１ｄ及びサブ画像３ｄの表示サイズが図１８（ａ）に示すような場合であるときに、表示サイズ算出部１３５において算出される表示サイズについて説明する。表示サイズ算出部１３５は、スケーリング後サブ画像３ｄ’の表示サイズが、スケーリング後メイン画像１ｄの一端をＬＣＤ１１０の長手方向の一端に接する状態で表示させた場合に、スケーリング後サブ画像３ｄ’の一端をＬＣＤ１１０の長手方向の他の一端に接するように表示させた状態で当該スケーリング後サブ画像’の他の一端がスケーリング後メイン画像１ｄの他の一端に接する表示サイズとなるように、表示サイズ調整値を算出する。
【０１３４】
一方、スケーリング後のメイン画像１ｄ及びサブ画像３ｄの表示サイズが図１８（ｂ）に示すような場合、表示サイズ算出部１３５は、スケーリング後メイン画像１ｄ’の縦幅とＬＣＤ１１０の縦幅とが一致するように、スケーリング後メイン画像２ｄ’の表示サイズ調整値を算出する。
【０１３５】
なお、本実施形態では、メイン画像１ａとスケーリング後メイン画像１ｄ’とのアスペクト比が一定に保たれているため、表示サイズ調整値によって調整されたスケーリング後メイン画像１ｄ’の表示サイズは、ＬＣＤ１１０のサイズと一致する。このため、図１８（ｂ）に示すように、ＬＣＤ１１０には、スケーリング後メイン画像１ｄ’のみが表示されることになる。
【０１３６】
ケースＦ２
ケースＦの場合であって、テレビ１０に、予めスケーリング後サブ画像３ｄの優先度が高く設定されている場合を、ケースＦ２とする。ケースＦ２の場合には、表示サイズ算出部１３５は、図１９に示すように、スケーリング後サブ画像３ｄが優先されてＬＣＤ１１０に表示されるように、表示サイズ調整値を算出する。
【０１３７】
図１９は、ケースＦ２である場合にＬＣＤ１１０に表示される表示画面の一例を示す図である。図１９（ａ）は、スケーリング後サブ画像３ｄ’の縦幅がＬＣＤ１１０の縦幅に合わせて表示された場合の表示画面の一例を示し、（ｂ）は、スケーリング後サブ画像３ｄの表示サイズを保ちつつスケーリング後メイン画像１ｄ’が調整された場合の表示画面の一例を示している。
【０１３８】
ケースＦ３
ケースＦの場合であって、テレビ１０に、予めスケーリング後のメイン画像１ｄ及びサブ画像３ｄに等しい優先度が設定されている場合を、ケースＦ３とする。ケースＦ３の場合には、表示サイズ算出部１３５は、図２０に示すように、スケーリング後のメイン画像１ｄ及びサブ画像３ｄの表示サイズが共に調整されて、スケーリング後のメイン画像１ｄ’及びサブ画像３ｄ’としてＬＣＤ１１０に表示されるように、表示サイズ調整値を算出する。
【０１３９】
図２０は、ケースＦ３である場合にＬＣＤ１１０に表示される表示画面の一例を示す図である。図２０（ａ）は、スケーリング後のメイン画像１ｄ及びサブ画像３ｄを均等な縮小率で縮小して調整した場合の表示画面の一例を示し、（ｂ）は、スケーリング後のメイン画像１ｄ及びサブ画像３ｄを均等な縮小率で縮小して調整した場合の表示画面の他の一例を示している。
【０１４０】
表示サイズ算出部１３５は、ケースＤ〜Ｆの場合に、上述のようにして、予め設定された優先度に応じて、スケーリング後のメイン画像及びサブ画像の表示サイズ調整値を算出する。表示サイズ算出部１３５は、算出した表示サイズ調整値を、スケーリング後のメイン画像及びサブ画像の表示サイズと共に表示サイズ情報として映像処理回路１０７に供給する。映像処理回路１０７は、表示サイズ算出部１３５から供給される表示サイズ情報（すなわち、表示サイズ、及び、表示サイズ調整値）に基づいて、メイン画像及びサブ画像に対してスケーリング処理を施す。
【０１４１】
これにより、テレビ１０は、ケースＤ〜Ｆの場合であっても、ＬＣＤ１１０に表示されるスケーリング後メイン画像およびスケーリング後サブ画像を、上述のように、互いに接するように表示することができる。
【０１４２】
これによって、テレビ１０は、ケースＤの場合には、スケーリング後メイン画像とスケーリング後サブ画像とを、各画像の間に隙間を生じさせることなく表示することができる。また、テレビ１０は、ケースＥの場合には、スケーリング後メイン画像の一部とスケーリング後サブ画像の一部とを重畳させることなく表示することができる。さらに、テレビ１０は、ケースＦの場合には、スケーリング後メイン画像およびスケーリング後サブ画像の全体をＬＣＤ１１０に表示させることができる。
【０１４３】
なお、本実施形態では、スケーリング後メイン画像１ｄ及びスケーリング後サブ画像３ｄが共に、ＬＣＤ１１０の長手方向の沿った１辺に接するように表示させる構成を例に挙げて説明したが、本発明はこれに限定されるものではない。例えば、図２１に示すように、スケーリング後メイン画像１ｄ及びスケーリング後サブ画像３ｄの縦幅の中心が、ＬＣＤ１１０の短手方向に沿った１辺の中心に位置するように表示される構成を採用することもできる。
【０１４４】
図２１は、本実施形態に係るテレビ１０のＬＣＤ１１０に表示される表示画面の他の一例を示す図である。
【０１４５】
上述のように、テレビ１０は、サブ画像と同様に（１）メイン画像における最小文字サイズ、（２）テレビ１０からユーザまでの距離から、メイン画像に含まれる文字を、テレビ１０からユーザまでの距離に適した大きさで表示することができる。またテレビ１０は、（３）基準文字サイズに基づいて、テレビ１０からユーザまでの距離によらず、メイン画像を、メイン画像に含まれる文字がユーザの好みのサイズにより合致したサイズとなるよう調整された表示サイズで表示することができる。
【０１４６】
さらに、表示サイズ算出部１３５は、スケーリング後（表示サイズの調整後）のサブ画像及びメイン画像の少なくとも何れかの表示サイズを更に調整するための表示サイズ調整値を、各々の優先度に応じて算出する。また、映像処理回路１０７は、表示サイズ調整値に基づいてスケーリング後のサブ画像及びメイン画像の少なくとも何れかの表示サイズを更に調整する。
【０１４７】
これによって、テレビ１０は、上記入力画像及び上記コンテンツの優先度に応じて、より適切な表示サイズでサブ画像及びメイン画像を表示することができる。
【０１４８】
また、テレビ１０は、ケースＥ、Ｆにおいて、ケースＢ、Ｃと同様にスケーリング後のメイン画像及びサブ画像の少なくとも何れかに含まれる最小文字のサイズがユーザに最適なサイズよりも小さいことを示すコーションを表示してもよい。また、テレビ１０は、スケーリング後サブ画像に含まれる最小文字と比較可能なように、ユーザに最適なサイズの文字を表示してもよい。
【０１４９】
〔文字認識部の構成〕
次に、本実施形態のテレビ１０の備える制御部１１８の文字認識部１３２における文字認識処理、及び、文字認識処理を実行するための文字認識部１３２の有する構成について、図２２から図２５を参照して説明する。図２２は、本実施形態に係るテレビ１０の備える制御部１１８の文字認識部１３２の構成を示すブロック図である。
【０１５０】
図２２に示すように、本実施形態に係る文字認識部１３２は、文字領域検出部（文字領域検出手段）１４１、最小文字領域検出部（文字サイズ検出手段）１４２、及び、最小文字サイズ検出部（文字サイズ検出手段）１４３を備えている。
【０１５１】
（文字領域検出部）
文字領域検出部１４１は、携帯端末３０から入力されるサブ画像から、文字の含まれる領域（文字領域）を検出する。また、文字領域検出部１４１は、複数行又は複数列からなる文字領域を、各行又は各列毎に１つの文字領域として検出する。なお、サブ画像から文字領域を検出する処理については、周知の技術を利用することができるため、ここではその説明を省略する。
【０１５２】
（最小文字領域検出部）
最小文字領域検出部１４２は、文字領域検出部１４１において検出された文字領域から、最も小さい文字を含む文字領域（最小文字領域）を検出する。
【０１５３】
最小文字領域検出部１４２は、文字領域検出部１４１において検出された各文字領域のサイズを算出する。各文字領域のサイズ（横幅（行方向の幅）Ｘｉ、縦幅（列方向の幅）Ｙｉ、ただし、ｉは文字領域を示し、１≦ｉ）の算出は、次の座標計算
Ｘｉ＝（文字領域ｉの右上隅のＸ座標）−（文字領域ｉの左上隅のＸ座標）
Ｙｉ＝（文字領域ｉの左上隅のＹ座標）−（文字領域ｉの左下隅のＹ座標）
により、算出することができる。
【０１５４】
最小文字領域検出部１４２は、算出した各文字領域のサイズに基づき、横幅Ｘｉ又は縦幅Ｙｉのサイズの最も小さな領域を最小文字領域として検出する。
【０１５５】
例えば、最小文字領域検出部１４２は、まず、文字領域検出部１４１において検出された各文字領域のうち、横幅Ｘｉの最も小さい文字領域と、縦幅Ｙｉの最も小さい文字領域とを検出する。次に、最小文字領域検出部１４２は、横幅Ｘｉの最も小さい文字領域の横幅Ｘｉの値と、縦幅Ｙｉの最も小さい文字領域の縦幅Ｙｉの値を比較し、より値の小さい文字領域を、最小文字領域として抽出する。最小文字領域検出部１４２は、このようにして最小文字領域を検出すればよいが、もちろん、本発明はこれに限定されるものでない。
【０１５６】
（最小文字サイズ検出部）
最小文字サイズ検出部１４３は、最小文字領域検出部１４２において抽出された最小文字領域に含まれる最小文字のサイズ（最小文字サイズ）を検出する。
【０１５７】
具体的には、最小文字サイズ検出部１４３は、最小文字領域検出部１４２において抽出された最小文字領域の横幅Ｘｉが、縦幅Ｙｉよりも小さい場合には、横幅Ｘｉの値を最小文字サイズとして検出する。また、最小文字サイズ検出部１４３は、最小文字領域の縦幅Ｙｉが、横幅Ｘｉよりも小さい場合には、縦幅Ｙｉの値を最小文字サイズとして検出する。
【０１５８】
すなわち、最小文字サイズ検出部１４３は、最小文字領域検出部１４２によって検出された最小文字領域の横幅Ｘｉ及び縦幅Ｙｉの何れか小さい幅の値を最小文字サイズとして検出する。
【０１５９】
〔文字認識処理〕
次に、本実施形態に係る文字認識部１３２における文字認識処理について、図２３から図２５を参照して説明する。図２３は、本実施形態に係る文字認識処理の流れを示すフローチャートである。
【０１６０】
また、図２４は、文字認識処理の概要を示す図である。図２４（ａ）は、サブ画像の一例を示し、（ｂ）は、文字領域検出部１４１によって検出される文字領域の一例を示し、（ｃ）は、最小文字サイズ検出部１４３によって算出される文字領域のサイズの一例を示している。
【０１６１】
図２３に示すように、例えば、図２４（ａ）に示すサブ画像を取得すると（ステップＳ２０１）、文字領域検出部１４１は、サブ画像から文字領域を検出する（ステップＳ２０２）。このとき、文字領域検出部１４１は、図２４（ｂ）に示すように、サブ画像から、文字領域ａ１〜ａ５を検出する。
【０１６２】
文字領域検出部１４１によって文字領域が検出されると、最小文字領域検出部１４２は、各文字領域ａ１〜ａ５のうちから、最小文字領域を検出する（ステップＳ２０３）。このとき、最小文字領域検出部１４２は、図２４（ｃ）に示すように、各文字領域ａ１〜ａ５のサイズ（横幅Ｘ１〜Ｘ５、及び、縦幅Ｙ１〜Ｙ５）を算出する。そして、最小文字領域検出部１４２は、算出した横幅Ｘ１〜Ｘ５及び縦幅Ｙ１〜Ｙ５から最も値の小さい幅を有する文字領域を、最小文字領域として検出する。
【０１６３】
最小文字領域検出部１４２によって最小文字領域が検出されると、最小文字サイズ検出部１４３は、最小文字領域から最小文字サイズを検出する（ステップＳ２０４）。
【０１６４】
上記の構成によれば、最小文字サイズ検出部１４３は、サブ画像に含まれる全ての文字のサイズを検出しなくとも、最小文字領域検出部１４２によって検出される最小文字領域の横幅（行方向の幅）及び縦幅（列方向の幅）、最も短い幅の値を、サブ画像に含まれる最小文字サイズとして検出することができる。
【０１６５】
このため、テレビ１０は、最小文字サイズを検出するために、サブ画像に含まれる全ての文字を検出し、更に検出した各文字のサイズを検出するという、処理量の大きな処理を行う必要がない。したがって、テレビ１０は、最小文字サイズの検出に関する処理時間を低減することができる。
【０１６６】
なお、図２５に示すように、サブ画像には、１行（又は１列）の文字領域に複数のサイズの文字が含まれている場合もある。図２５は、本実施形態に係る文字認識処理の他の一例を示す図である。図２５（ａ）は、最小文字サイズ検出部１４３によって算出される文字領域のサイズの一例を示し、（ｂ）は、最小文字サイズ検出部１４３によって算出される文字領域のサイズの他の一例を示している。
【０１６７】
このような場合には、図２５（ａ）に示すように、文字領域検出部１４１において１つの文字領域ａ６として検出し、最小文字領域検出部１４２において１つの文字領域ａ６としてのサイズ（縦幅Ｙ６）を算出してもよい。また、図２５（ｂ）に示すように、文字領域検出部１４１において異なるサイズの文字毎に異なる文字領域ａ７、ａ８として検出し、最小文字領域検出部１４２において文字領域ａ７、ａ８のサイズ（縦幅Ｙ７、Ｙ８）を各々検出してもよい。
【０１６８】
さらに、図２６に示すように、サブ画像に、フォント及びフォントサイズが同一な文字を含む文字領域であって、縦長の文字を含む文字領域ａ９と、縦長の文字を含まない文字領域ａ１０、ａ１１とが含まれている場合もある。図２６は、本実施形態に係る文字認識処理のさらに他の一例を示す図である。
【０１６９】
このような場合であっても、図２６に示すように、文字領域検出部１４１において文字領域ａ９〜ａ１１を各々異なる文字領域として検出し、最小文字領域検出部１４２において文字領域ａ９〜ａ１１の各々のサイズ（縦幅Ｙ９〜Ｙ１１）を検出すればよい。このとき、Ｙ９＞Ｙ１０＝Ｙ１１であるから、最小文字領域検出部１４２は、縦長の文字を含まない文字領域ａ１０及び１１のうちの任意の１つの文字領域を最小文字領域として検出してもよいし、文字領域ａ１０及びａ１１の双方を最小文字領域として検出してもよい。
【０１７０】
（その他の構成）
なお、本実施形態に係る制御部（判定手段）１１８は、サブ画像が動画像であるか静止画像であるかを判定してもよい。この場合には、文字認識部１３２（より具体的には、文字領域検出部１４１）は、制御部１１８においてサブ画像が動画像であると判定された場合には文字認識処理を継続的又は離散的に複数回実行し、サブ画像が静止画像であると判定された場合には文字認識処理をサブ画像を取得した時点で１度だけ実行してもよい。
【０１７１】
これにより、本実施形態に係る文字認識部１３２は、サブ画像が静止画像である場合には、文字認識処理を１度実行した後は文字認識処理を停止することができるため、文字認識処理に関する消費電力を削減することができる。
【０１７２】
さらに、本実施形態に係るテレビ１０は、文字領域検出部１４１における文字領域の検出処理と、最小文字サイズ検出部１４３における最小文字サイズの検出処理とを、例えば所定の期間毎に、交互に実行する構成を採用してもよい。例えば、テレビ１０は、サブ画像が供給され始めてから０秒〜２秒の間は、文字領域検出部１４１における文字領域の検出処理のみを実行し、２秒〜４秒の間は、最小文字サイズ検出部１４３における最小文字サイズの検出処理のみを実行し、以降これらの処理を２秒毎に交互に繰り返せばよい（交互処理実行時の最小文字サイズ検出方法１）。
【０１７３】
また、テレビ１０は、文字領域の検出処理と最小文字サイズの検出処理とを所定の期間毎に交互に実行する場合、文字領域の検出処理と、最小文字サイズの検出処理とを、サブ画像を構成する異なるフレームに対して実行する構成を採用することもできる（交互処理実行時の最小文字サイズ検出方法２）。
【０１７４】
例えば、文字領域検出部１４１は、サブ画像が供給され始めてから０秒〜２秒の間、文字領域の検出処理のみを、サブ画像が供給され始めた時点（つまり、０秒の時点）で供給されたフレーム（文字領域検出対象フレーム）に対して実行する。次に、最小文字サイズ検出部１４３は、サブ画像が供給され始めてから２秒〜４秒の間、最小文字サイズの検出処理のみを、サブ画像が供給され始めてから２秒が経過した時点で供給されたフレーム（文字サイズ検出対象フレーム）に対して実行する。
【０１７５】
このとき、最小文字サイズ検出部１４３は、文字サイズ検出対象フレームのうち、文字領域検出部１４１において文字領域検出対象フレームから検出された文字領域に対応する領域に対してのみ、最小文字サイズの検出処理を実行する。テレビ１０は、以降、これら２つの処理を２秒毎に交互に繰り返せばよい。
【０１７６】
このように、文字領域の検出処理と最小文字サイズの検出処理とを所定の期間毎に交互に実行する際に、文字領域の検出処理と最小文字サイズの検出処理とを、サブ画像を構成する異なるフレームに対して実行することにより、テレビ１０は、サブ画像における最小文字サイズ比が変化した場合にも、変化後の最小文字サイズを検出し、最小文字サイズの変化を反映したスケーリング後サブ画像としてＬＣＤ１１０に表示するまでの時間を短縮することができる。
【０１７７】
さらに、文字領域検出部１４１よって文字領域検出対象フレームから検出された文字領域又は当該文字領域に含まれる文字サイズが、文字サイズ検出対象フレームにおいて変化する場合には、テレビ１０は、以下のケースＧ、Ｈに応じて上記交互処理実行時の最小文字サイズ検出方法１と２とを切り替えることが好ましい。
【０１７８】
（ケースＧ）
文字領域検出対象フレームから検出された文字領域に対応する、文字サイズ検出対象フレームにおける領域に最小文字が含まれている場合を、ケースＧとする。ケースＧの場合には、テレビ１０は、上記交互処理実行時の最小文字サイズ検出方法２を実行すればよい。
【０１７９】
これにより、テレビ１０は、文字領域検出部１４１よって文字領域検出対象フレームから検出された文字領域における最小文字サイズの変化を、スケーリング後サブ画像の表示サイズにより早く反映することができる。
【０１８０】
（ケースＨ）
文字領域検出対象フレームから検出された文字領域に対応する文字サイズ検出対象フレームにおける領域に、最小文字が含まれていない場合を、ケースＨとする。ケースＨの場合には、テレビ１０は、上記交互処理実行時の最小文字サイズ検出方法１を実行すればよい。
【０１８１】
これにより、テレビ１０は、文字領域検出対象フレームから検出された文字領域に最小文字が含まれていないにも係らず、文字領域検出対象フレームから検出された文字領域に対して文字サイズの検出処理が実行され、誤った最小文字サイズが検出されてしまうことを防ぐことができる。
【０１８２】
なお、ケースＨの場合には、例えば、以下のケースＨ１、ケースＨ２などの場合を例に挙げることができる。ケースＨ１は、文字サイズ検出対象フレームにおける、文字領域検出対象フレームから検出された文字領域と対応する領域に最小文字が含まれなくなり（最小文字が消え）、他の領域に最小文字が含まれるようになる場合である。また、ケースＨ２は、文字サイズ検出対象フレームにおける、文字領域検出対象フレームから検出された文字領域と対応する領域に含まれる文字が最小文字でなくなり、他の領域に最小文字が含まれるようになる場合である。
【０１８３】
また、テレビ１０におけるケースＧとケースＨとの判定方法としては、例えば、制御部１１８が、文字領域検出対象フレームの直前に供給された複数のフレームの中で、自フレームの直前のフレームに対して文字領域が変化しているフレームの数が所定の数以上である場合にケースＨと判定する方法を挙げることができる。なお、所定の数としては、例えば、文字領域検出対象フレームの直前に供給された複数のフレームの半数であってもよいし、全ての数であってもよいし、特に限定されるものではない。
【０１８４】
また、上述のように、最小文字サイズ検出部１４３は、サブ画像から最小文字サイズを検出することができる。このため、テレビ１０は、携帯端末３０からサブ画像と共にサブ画像に含まれる文字のサイズを示す情報が供給されるか否かによらず、サブ画像から最小文字サイズを検出することができる。これによって、テレビ１０は、携帯端末３０からサブ画像と共にサブ画像に含まれる文字のサイズを示す情報が供給されない場合であっても、検出された最小文字サイズに応じて算出された表示サイズとなるようサブ画像にスケーリング処理を施すことができる。
【０１８５】
なお、テレビ１０は、上述の構成により、携帯端末３０のタイプによらずに最小文字のサイズを検出することができる。携帯端末３０のタイプとしては、例えば、携帯電話、スマートフォンおよびタブレット端末など種々の端末を挙げることができるが、これに限定されず、種々の端末の異なる機種も含まれる。
【０１８６】
さらに、本変形例に係る文字認識部１３２は、文字認識処理を、サブ画像全体ではなく、例えば、サブ画像の中心部など、サブ画像の特定の領域のみに対して実行してもよい。これにより、文字認識部１３２における文字認識処理の範囲を小さくすることができるため、文字認識処理の処理速度を向上させることができる。
【０１８７】
また、本変形例に係る文字認識部１３２は、各文字領域に含まれる文字の全てのサイズを検出しなくともよい。例えば、文字認識部１３２は、各文字領域に含まれる文字のうち、先頭の文字の文字サイズのみを検出し、検出した、各文字領域に含まれる先頭の文字の文字サイズから、最小文字サイズを検出してもよい。
【０１８８】
また、本変形例に係る文字認識部１３２は、サブ画像が動画像である場合、サブ画像として供給されるフレーム毎に文字認識処理を実行しなくともよい。例えば、所定の期間（例えば、１秒など）毎に文字認識処理を実行してもよいし、所定のフレーム数（例えば、５０フレーム）毎に文字認識処理を実行してもよい。
【０１８９】
さらに、本変形例に係る文字認識部１３２は、連続する２フレーム間の差分からサブ画像の変化量を判定し、変化量が所定の値以上である場合にのみ文字認識処理を実行してもよい。
【０１９０】
また、本実施形態に係る文字認識部１３２における文字認識処理の頻度を、ユーザがリモコン２０などを操作することによって、任意に設定可能であってもよい。
【０１９１】
なお、本実施形態において、サブ画像に文字が含まれていない場合には、表示サイズ算出部１３５は、最小文字サイズに応じた表示サイズを算出することができない。このような場合には、映像処理回路１０７は、スイッチング部１３１がＯＦＦ状態である場合と同様に、所定の表示サイズとなるようサブ画像をスケーリング処理すればよい。また、映像処理回路１０７は、スケーリング後サブ画像が携帯端末３０において表示される際のサイズと同じサイズとなるようサブ画像にスケーリング処理を施す構成を採用することもできる。
【０１９２】
また、本実施形態に係る文字認識部１３２における文字認識処理を、所定の文字を含む文字領域に対してのみ実行する構成を採用してもよい。所定の文字とは、サブ画像に対する文字サイズの比（又は、文字サイズそのもの）が予め定められている文字をあげることができる。例えば、所定の文字は、サブ画像がアプリケーションの実行画面、メニュー画面およびＥＰＧを表示する画面などである場合に、各画面において予め利用されることが決まっている文字などであればよい。
【０１９３】
このように、所定の文字の含まれる文字領域にのみ文字認識処理を実行することにより、サブ画像全体に対する文字認識処理が不要になるため、文字認識部１３２における文字認識処理に関する処理速度を高速化することができる。
【０１９４】
さらに、所定の文字の含まれる文字領域にのみ文字認識処理を実行する処理を、例えば、サブ画像に含まれる文字領域が多い場合など文字領域認識処理及び表示サイズ算出処理に長時間を要してしまう場合にのみ、実行する構成とすることもできる。
【０１９５】
＜変形例＞
なお、本実施形態では、最小文字領域検出部１４２において最小文字領域を検出し、最小文字サイズ検出部１４３において最小文字サイズを検出する構成を例に挙げて説明したが、本発明はこれに限定されるものではない。
【０１９６】
例えば、最小文字サイズ検出部１４３において、文字領域検出部１４１によって検出された各文字領域に含まれる各文字のサイズを検出し、検出した文字サイズの中から最も小さい文字のサイズを最小文字サイズとして検出する構成を採用してもよい。
【０１９７】
この場合には、文字認識部１３２は、文字領域検出部１４１、及び、最小文字サイズ検出部１４３のみを備えていればよい。換言すれば、本変形例に係る文字領域検出部１４１は、サブ画像から文字領域を検出し、最小文字サイズ検出部１４３は、文字領域に含まれる文字のみから最小文字サイズを検出すればよい。
【０１９８】
本変形例に係る文字領域検出部１４１及び最小文字サイズ検出部１４３における処理について、図２７を参照して説明する。図２７は、本変形例に係るサブ画像の一例を示す図である。図２７（ａ）は、文字領域検出部１４１によって検出される文字領域の一例を示し、（ｂ）は、最小文字サイズ検出部１４３によって検出される文字サイズの一例を示している。
【０１９９】
文字領域検出部１４１は、図２７（ａ）に示すように、サブ画像から文字領域ａ１２〜ａ１４を検出する。そして、最小文字サイズ検出部１４３は、文字領域ａ１２〜ａ１４に含まれる文字毎にサイズを検出する。
【０２００】
このとき、最小文字サイズ検出部１４３は、図２７（ｂ）に示すように、文字領域ａ１４から文字サイズＸ１２、Ｙ１２を検出し、文字領域ａ１３から文字サイズＸ１３、Ｙ１３を検出する。さらに、最小文字サイズ検出部１４３は、文字領域ａ１４から、２つの異なる文字サイズＸ１４ａ、Ｙ１４ａ及びＸ１４ｂ、Ｙ１４ｂを検出する。
【０２０１】
最小文字サイズ検出部１４３は、検出した文字サイズのうち、最も小さい文字サイズ（図２７（ｂ）に示す例においては、文字サイズＸ１４ａ、Ｙ１４ｂ）を最小文字サイズとして検出する。
【０２０２】
上記の構成によれば、本変形例に係るテレビ１０は、制御部１１８の備える文字認識部１３２において、サブ画像に含まれる文字のサイズを検出することができる。これにより、テレビ１０は、サブ画像を当該テレビ１０に供給する携帯端末３０に係らず、サブ画像に含まれる文字のサイズを検出することができる。
【０２０３】
＜実施形態２＞
実施形態１では、携帯端末３０から供給されるサブ画像に含まれる文字の最小文字サイズを、テレビ１０の備える文字認識部１３２において検出する構成を例に挙げて説明したが、本発明はこれに限定されるものではない。
【０２０４】
本実施形態では、携帯端末３０が、サブ画像（表示画像）と共に、最小文字サイズのサブ画像のサイズに対する比（最小文字サイズ比）を示すサイズ比データをテレビ（表示装置）１０に供給する場合を例に挙げ、図２８を参照して説明する。図２８は、本実施形態に係る携帯端末３０の要部構成を示すブロック図である。
【０２０５】
なお、説明の便宜上、実施形態１に係るテレビ１０と同様の機能を有する構成要素については同一の符号を付し、その説明を省略する。本実施形態では、主に、実施形態１との相違点について説明するものとする。
【０２０６】
また、本実施形態では、サブ画像が複数フレームから構成される動画像である場合を例に挙げて説明する。
【０２０７】
〔携帯端末の構成〕
携帯端末３０は、図２８に示すように、制御部３０１、再生部３０２、表示部３０３、記憶部３０４、及び、送信部（出力手段）３０５を備えている。
【０２０８】
制御部３０１は、携帯端末３０の各部を統括的に制御する。また、制御部３０１は、図２８に示すように、再生制御部３１１、及び、サイズ比情報生成部３１２を備えている。再生制御部３１１は、表示部３０３にサブ画像を表示するよう、再生部３０２の駆動を制御する。
【０２０９】
サイズ比情報生成部３１２は、記憶部３０４に格納されているテーブルを参照して、サブ画像及びサブ画像に含まれる文字から、最小文字サイズ比を示すサイズ比データを生成し、サブ画像と関連づけて送信部３０５に供給する。なお、サイズ比情報生成部３１２、及び、記憶部３０４に格納されているテーブルの詳細については、後述する。
【０２１０】
再生部３０２は、制御部３０１の備える再生制御部３１１の制御に基づき、サブ画像を表示部３０３に表示する。なお、表示部３０３としては、例えば、ＬＣＤなどを例に挙げることができるが、特に限定されるものではない。
【０２１１】
送信部３０５は、制御部３０１のサイズ比情報生成部３１２から供給される、サブ画像及び当該サブ画像に関連づけられたサイズ比データを、テレビ１０に代表される表示装置に送信する。なお、送信部３０５におけるサブ画像及びサイズ比データの送信は、例えば、ＨＤＭＩケーブル（不図示）などを用いた有線通信によって実現されてもよいし、Ｂｌｕｅｔｏｏｔｈ（登録商標）などを用いた無線通信によって実現されてもよい。
【０２１２】
〔サイズ比情報生成部の構成〕
次に、制御部３０１の備えるサイズ比情報生成部３１２、及び、記憶部３０４の詳細について、図２８を参照して説明する。図２８に示すように、サイズ比情報生成部３１２は、文字認識部（検出手段）３２１、最小文字サイズ比算出部（サイズ比算出手段）３２２、及び、サイズ比変化判定部（判定手段）３２３を備えている。また、記憶部３０４には、サイズ比テーブル３４１、及び、変化フラグテーブル３４２が格納されている。
【０２１３】
（文字認識部）
文字認識部３２１は、表示部３０３に表示されるサブ画像に含まれる文字を認識し、認識した文字の中から最小文字サイズを検出する。なお、本実施形態に係る携帯端末３０の備える文字認識部３２１における最小文字サイズの検出については、実施形態１に係るテレビ１０の備える文字認識部１３２における文字認識処理と同様の処理によって実行することができるため、ここではその詳細な説明については省略する。
【０２１４】
文字認識部３２１は、検出した最小文字サイズを、サブ画像と共に最小文字サイズ比算出部３２２に供給する。
【０２１５】
（最小文字サイズ比算出部、サイズ比テーブル）
最小文字サイズ比算出部３２２は、文字認識部３２１から供給される最小文字サイズに基づき、サブ画像のサイズに対する最小文字サイズの比（最小文字サイズ比）を算出する。なお、本実施形態に係る携帯端末３０の備える最小文字サイズ比算出部３２２における最小文字サイズ比（文字サイズ比）の算出は、実施形態１に係るテレビ１０の備える表示サイズ算出部１３５における最小文字サイズ比の算出と同様にして行うことができるため、ここではその詳細な説明については省略する。
【０２１６】
また、最小文字サイズ比算出部３２２は、算出した最小文字サイズ比を示すサイズ比データを、記憶部３０４に格納されている、図２９に示すサイズ比テーブル３４１から読み出す。
【０２１７】
図２９は、本実施形態に係るサイズ比テーブル３４１の一例を示す図である。サイズ比テーブル３４１は、図２９に示すように、横幅の最小文字サイズ比（Ｘｓ２／Ｘｓ１）、及び、縦幅の最小文字サイズ比（Ｙｓ２／Ｙｓ１）と、これらの最小文字サイズ比を示すサイズ比データ（８ビット信号）とを関連づけたテーブルである。
【０２１８】
最小文字サイズ比算出部３２２は、算出した最小文字サイズ比、及び、当該最小文字サイズ比を示すサイズ比データを、サブ画像と共にサイズ比変化判定部３２３に供給する。
【０２１９】
（サイズ比変化判定部、変化フラグテーブル）
サイズ比変化判定部３２３は、最小文字サイズ比算出部３２２から供給された最小文字サイズ比が、前回供給された１フレーム前のサブ画像における最小文字サイズ比から変化しているか否かを判定する。サイズ比変化判定部３２３は、１フレーム前のサブ画像における、横幅の最小文字サイズ比又は縦幅の最小文字サイズ比の少なくとも何れかが変化した場合に、最小文字サイズ比が変化したと判定すればよい。
【０２２０】
また、サイズ比変化判定部３２３は、最小文字サイズ比が変化したか否かの判定結果を示すフラグを、記憶部３０４に格納されている、図３０に示す変化フラグテーブル（フラグテーブル）３４２から読み出す。
【０２２１】
図３０は、本実施形態に係る変化フラグテーブル３４２の一例を示す図である。変化フラグテーブル３４２は、図３０に示すように、最小文字サイズ比が変化したか否かと、最小文字サイズ比が変化したか否かを示す変化フラグ（１ビット信号）とを関連付けたテーブルである。図３０に示すように、変化フラグは、１ビット信号「１」で最小文字サイズ比が変化したことを示し、１ビット信号「０」で最小文字サイズ比が変化していないことを示している。
【０２２２】
携帯端末３０は、上述のようにして、サブ画像を構成する各フレームに対応するサイズ比データ及び変化フラグを取得する。携帯端末３０は、サブ画像を構成する各フレームと共に、各フレームに対応するサイズ比データ及び変化フラグを送信することによって、サブ画像と共にサイズ比データ及び変化フラグを送信する。
【０２２３】
なお、テレビ１０及び携帯端末３０の各々には、共通のサイズ比テーブル及び変化フラグテーブルが格納されていることが好ましい。
【０２２４】
〔携帯端末におけるサブ画像送信処理〕
次に、本実施形態に係る携帯端末３０において、サブ画像と共にサイズ比データ及び変化フラグをテレビ１０に送信する際の処理（サブ画像送信処理とも記載する）について、図３１を参照して説明する。図３１は、本実施形態に係る携帯端末３０のサイズ比情報生成部３１２におけるサブ画像送信処理の流れを示すフローチャートである。
【０２２５】
図３１に示すように、サイズ比情報生成部３１２の文字認識部３２１は、サブ画像に対して文字認識処理を実行し（ステップＳ３０１）、検出した最小文字文サイズを最小文字サイズ比算出部３２２に供給する。
【０２２６】
最小文字サイズ比算出部３２２は、供給された最小文字サイズ及びサブ画像のサイズから最小文字サイズ比を算出し（ステップＳ３０２）、算出した最小文字サイズ比に関連付けられたサイズ比データをサイズ比テーブル３４１から読み出す（ステップＳ３０３）。
【０２２７】
サイズ比変化判定部３２３は、現在のフレームのサブ画像におけるサイズ比が、直前のフレームのサブ画像におけるサイズ比と比較して変化しているか否かを判定する（ステップＳ３０４）。サイズ比変化判定部３２３は、サイズ比が変化していないと判定した場合（ステップＳ３０４においてＮＯ）、変化フラグテーブルから変化フラグ「０」を読み出す。また、サイズ比変化判定部３２３は、サイズ比が変化したと判定した場合（ステップＳ３０４においてＹＥＳ）、変化フラグテーブルから変化フラグ「１」を読み出す。
【０２２８】
制御部３０１は、ステップＳ３０１〜Ｓ３０６において取得した変化フラグ及びサイズ比データを、サブ画像と共に、送信部３０５を介してテレビ１０に送信する（ステップＳ３０７）。
【０２２９】
〔テレビにおける処理〕
次に、本実施形態に係るテレビ１０において実行される処理について、図３２を参照して説明する。図３２は、本実施形態に係るテレビ１０において実行される処理の流れを示すフローチャートである。
【０２３０】
図３２に示すように、外部入力部１１５又は無線通信部１２１を介して携帯端末３０からサブ画像、変化フラグ及びサイズ比データを取得すると（ステップＳ４０１）、制御部１１８は、スイッチング部１３１がＯＮ状態であるか否かを判定する（ステップＳ４０２）。スイッチング部１３１がＯＦＦ状態である場合（ステップＳ４０２においてＮＯ）、制御部１１８は、サブ画像がそのままＬＣＤ１１０に表示されるよう、映像処理回路１０７を制御する（ステップＳ４０３）。
【０２３１】
スイッチング部１３１がＯＮ状態である場合（ステップＳ４０２においてＹＥＳ）、文字認識部（文字サイズ検出手段）１３２は、変化フラグが「１」であるか否かを判定する（ステップＳ４０４）。
【０２３２】
変化フラグが「０」である場合（ステップＳ４０４においてＮＯ）、表示サイズ算出部１３５は、サブ画像を構成する現フレームの表示サイズの算出結果として、当該現フレームの直前フレームの表示サイズと同じ表示サイズを設定する（ステップＳ４０５）。
【０２３３】
表示サイズ算出部１３５は、算出結果として設定した直前フレームの表示サイズを示す表示サイズ情報を映像処理回路１０７に供給する（ステップＳ４１０）。これにより、現フレームの示すサブ画像には、当該現フレームの直前フレームの示すサブ画像に施されるスケーリング処理と同じスケーリング処理が施されることになる。
【０２３４】
また、変化フラグが「１」である場合（ステップＳ４０４においてＹＥＳ）、文字認識部１３２は、サイズ比データから、サブ画像を構成する現フレームにおける最小文字サイズ比を取得する（ステップＳ４０６）。
【０２３５】
次に、距離検出部１３３は、カメラ１２０によって撮像された撮像画像から、テレビ１０を使用しているユーザと、当該テレビ１０との距離を検出する（ステップＳ４０７）。また、ユーザ設定抽出部１３４は、カメラ１２０によって撮像された撮像画像から、テレビ１０を使用しているユーザを特定し、特定されたユーザによって予め設定されている基準文字サイズをＲＡＭ１１７から抽出する（ステップＳ４０８）。
【０２３６】
そして、表示サイズ算出部１３５は、（１）サイズ比データの示す最小文字サイズ比、（２）テレビ１０からユーザまでの距離、及び、（３）ユーザの設定した基準文字サイズに基づいて、表示サイズ算出処理を実行する（ステップＳ４０９）。表示サイズ算出部１３５は、算出した表示サイズを、表示サイズ情報として映像処理回路１０７に供給する（ステップＳ４１０）。
【０２３７】
（サイズ比データ、変化フラグ）
次に、本実施形態係る携帯端末３０から送信されるサイズ比データ及び変化フラグと、テレビ１０に表示されるスケーリング後サブ画像との関係について、図３３及び図３４を参照して説明する。
【０２３８】
図３３は、本実施形態に係る携帯端末３０から送信されるサイズ比データ及び変化フラグと、テレビ１０に表示されるスケーリング後サブ画像との関係の一例を示す図である。図３３（ａ）は、携帯端末３０から送信されるサイズ比データ、変化フラグ及びサブ画像を示すデータの一例を示し、（ｂ）は、テレビ１０のＬＣＤ１１０に表示される表示画面の一例を示す図である。
【０２３９】
また、図３４は、本実施形態に係る携帯端末３０から送信されるサイズ比データ及び変化フラグと、テレビ１０に表示されるスケーリング後サブ画像との関係の他の一例を示す図である。図３４（ａ）は、携帯端末３０から送信されるサイズ比データ、変化フラグ及びサブ画像を示すデータの他の一例を示し、（ｂ）は、テレビ１０のＬＣＤ１１０に表示される表示画面の他の一例を示す図である。
【０２４０】
図３３（ａ）に示すように、携帯端末３０は、サイズ比データ及び変化フラグＦを含むヘッダ部Ｈと、サブ画像を構成する１フレーム（現フレーム）を示すデータ部Ｄとからなるデータを送信する。
【０２４１】
このとき、文字認識部１３２は、ヘッダ部Ｈから変化フラグＦを抽出し、現フレームにおける最小文字サイズ比が、現フレームの直前フレームにおける最小文字サイズ比から変化しているか否かを判定する。図３３（ａ）に示す例では、変化フラグＦの値は「０」であることから、文字認識部１３２は、最小文字サイズ比は変化していないと判定する。
【０２４２】
表示サイズ算出部１３５は、直前フレームにおけるサイズ比データの示す最小文字サイズ比に基づいて算出した表示サイズをそのまま映像処理回路１０７に供給する。なお、変化フラグＦ＝０であることから、直前フレームにおける最小文字サイズ比は、現フレームにおけるサイズ比データの示す最小文字サイズ比（Ｘｓ２／Ｘｓ１＝１／３０、Ｙｓ２／Ｙｓ１＝１／４５）と同じである。
【０２４３】
これにより、ＬＣＤ１１０には、図３３（ｂ）に示すように、直前フレームにおけるサイズ比データに基づいて算出された表示サイズにスケーリングされたサブ画像が表示されることになる。
【０２４４】
次に、文字認識部１３２は、図３４（ａ）に示す、携帯端末３０から送信されたデータのヘッダ部Ｈから変化フラグＦを抽出し、現フレームにおける最小文字サイズ比が、現フレームの直前フレームにおける最小文字サイズ比から変化しているか否かを判定する。図３４（ａ）に示す例では、変化フラグＦの値は「１」であることから、文字認識部１３２は、最小文字サイズ比が変化していると判定する。
【０２４５】
表示サイズ算出部１３５は、ヘッダ部Ｈからサイズ比データ（図３４（ａ）における「０１０００００１」、「００１０１０００」）を抽出する。表示サイズ算出部１３５は、例えば、ＲＡＭ１１７などに格納されているサイズ比テーブルを参照して、抽出したサイズ比データの示す最小文字サイズ比（Ｘｓ２／Ｘｓ１＝１／２０、Ｙｓ２／Ｙｓ１＝１／３０）を取得する。表示サイズ算出部１３５は、取得した最小文字サイズ比に基づいて、スケーリング後サブ画像の表示サイズを算出し、映像処理回路１０７に供給する。
【０２４６】
これにより、ＬＣＤ１１０には、図３４（ｂ）に示すように、図３３（ｂ）に示すスケーリング後サブ画像から表示サイズが変更された状態で、スケーリング後サブ画像が表示される。
【０２４７】
上記の構成によれば、携帯端末３０は、サブ画像と共に最小文字のサイズを示すデータを出力することにより、テレビ１０に対して、サブ画像のサイズに係らず、上記表示画像と上記最小文字のサイズとを一律に提示することができる。
【０２４８】
したがって、テレビ１０は、文字サイズ比を用いて表示サイズ算出処理を実行する場合であっても、サブ画像から最小文字の検出、最小文字のサイズの検出、及び、最小文字のサイズ及び上記表示画像からの文字サイズ比の算出の何れも行う必要がない。これによって、携帯端末３０は、テレビ１０における処理量を低減することができる。
【０２４９】
また、記憶部３０４にはサイズ比テーブル３４１及び変化フラグテーブル３４２が格納されていることから、携帯端末３０は、サイズ比データ及び変化フラグとして、各テーブルにおいて関連付けられているデータを用いることができる。これにより、携帯端末３０は、文字サイズ比からサイズ比データを生成する処理、及び、上記判定結果に基づいて変化フラグを示すデータを生成する処理を行う必要がない。
【０２５０】
したがって、携帯端末３０は、上記出力手段から上記サイズ比データ及び上記フラグデータを出力するまでに必要な処理を削減することができる。つまり、上記携帯端末は、当該携帯端末３０におけるサイズ比データ及び変化フラグの出力に関する処理量を低減することができる。
【０２５１】
なお、本実施形態では、携帯端末３０が、サブ画像と共にサイズ比データを送信する構成を例に挙げて説明したが、本発明はこれに限定されるものではない。例えば、サイズ比データに代えて、最小文字サイズを示すデータをサブ画像と共に送信する構成を採用することもできるし、さらに他のデータを送信することもできる。
【０２５２】
これによれば、携帯端末３０からサブ画像の入力を受け付けるテレビ１０は、上記表示画像から最小文字を検出する必要も、最小文字のサイズを検出する必要もないため、テレビ１０における処理量を低減することができる。
【０２５３】
＜実施形態３＞
実施形態１では、スケーリング後メイン画像及びスケーリングサブ画像を、ＬＣＤ１１０の長手方向（図４におけるｘ軸方向）に並べて２画面表示する構成を例に挙げて説明したが、本発明はこれに限定されるものではない。
【０２５４】
例えば、スケーリング後メイン画像及びスケーリングサブ画像を、ＬＣＤ１１０の短手方向に並べて２画面表示する構成を採用してもよい。また、スケーリング後メイン画像及びスケーリングサブ画像を、ＬＣＤ１１０の長手方向に並べる２画面表示と、短手方向に並べる２画面表示とを適宜切り替える構成を採用することもできる。
【０２５５】
本実施形態では、スケーリング後メイン画像及びスケーリングサブ画像を、ＬＣＤ１１０の長手方向に並べる２画面表示（２画面横表示とも記載する）と、短手方向に並べる２画面表示（２画面縦表示とも記載する）とを適宜切り替える構成を例に挙げて説明する。
【０２５６】
〔メイン画像およびサブ画像の最適な配置〕
本実施形態に係るテレビ（表示装置）１０の備える制御部１１８の表示サイズ算出部（調整手段）１３５における処理について、図３５から図３６を参照して説明する。
【０２５７】
図３５は、本実施形態に係るテレビ１０の備えるＬＣＤ１１０に表示される表示画面の一例を示す図である。図３５（ａ）は、スケーリング後のメイン画像及びサブ画像を２画面横表示する場合の表示画面の一例を示し、（ｂ）は、スケーリング後のメイン画像及びサブ画像を２画面縦表示する場合の表示画面の一例を示している。
【０２５８】
本実施形態に係る表示サイズ算出部１３５は、式（４）、（５）、（１０）及び（１１）の計算結果に基づき、スケーリング後のメイン画像及びサブ画像を２画面横表示させるか、２画面縦表示させるかを判定する表示位置判定処理をさらに実行する。なお、表示位置判定処理の詳細については、後述する。
【０２５９】
表示サイズ算出部１３５において表示位置判定処理が実行されると、制御部１１８は、表示位置判定処理の判定結果を、表示サイズ情報と共に映像処理回路（調整手段）１０７に供給する。
【０２６０】
映像処理回路１０７は、制御部１１８から取得した表示サイズ情報に基づいて、メイン画像及びサブ画像にスケーリング処理を施し、スケーリング後メイン画像およびスケーリング後サブ画像を生成する。また、映像処理回路１０７は、制御部１１８から取得した判定結果が２画面横表示を示す場合には、２画面横表示用のスケーリング後のメイン画像及びサブ画像を生成する。ＬＣＤコントローラ（表示手段）１０９は、スケーリング後のメイン画像及びサブ画像が２画面横表示されるよう、ＬＣＤ（表示部）１１０を駆動する。
【０２６１】
さらに、映像処理回路１０７は、制御部１１８から取得した判定結果が２画面縦表示を示す場合には、２画面縦表示用のスケーリング後のメイン画像及びサブ画像を生成する。ＬＣＤコントローラ１０９は、スケーリング後のメイン画像及びサブ画像が２画面縦表示されるよう、ＬＣＤ１１０を駆動する。
【０２６２】
（表示位置判定処理）
次に、表示サイズ算出部１３５における表示位置判定処理について、説明する。ここで、ＬＣＤ１１０のｘ軸方向の長さをＬＣＤ１１０の横幅Ｘｄ１とし、ｙ軸方向の長さをＬＣＤ１１０の縦幅Ｙｄ１とする。
【０２６３】
表示サイズ算出部１３５は、まず、ＬＣＤ１１０の表示領域のアスペクト比（Ｙｄ１／Ｘｄ１）（すなわち、メイン画像のアスペクト比（Ｙｔ１／Ｘｔ１））と、サブ画像のアスペクト比（Ｙｓ１／Ｘｓ１）とを比較する。そして、表示サイズ算出部１３５は、（ｉ）Ｙｓ１／Ｘｓ１≧Ｙｄ１／Ｘｄ１（サブ画像のアスペクト比≧メイン画像のアスペクト比）であるか、（ｉｉ）Ｙｓ１／Ｘｓ１＜Ｙｄ１／Ｘｄ１（サブ画像のアスペクト比＜メイン画像のアスペクト比）であるかを判定する。
【０２６４】
表示サイズ算出部１３５は、Ｙｓ１／Ｘｓ１≧Ｙｄ１／Ｘｄ１であると判定した場合には、スケーリング後メイン画像およびスケーリング後サブ画像を２画面横表示させる旨を示す指示（横表示指示）を、表示サイズ情報と共に映像処理回路１０７に供給する。
【０２６５】
一方、表示サイズ算出部１３５は、Ｙｓ１／Ｘｓ１＜Ｙｄ１／Ｘｄ１であると判定した場合には、スケーリング後メイン画像およびスケーリング後サブ画像を２画面縦表示させる旨を示す指示（縦表示指示）を、表示サイズ情報と共に映像処理回路１０７に供給する。
【０２６６】
（表示位置判定処理の判定式について）
ここで、表示サイズ算出部１３５における表示位置判定処理の判定式（Ｙｓ１／Ｘｓ１≧Ｙｄ１／Ｘｄ１、及び、Ｙｓ１／Ｘｓ１＜Ｙｄ１／Ｘｄ１）について、図３６を参照して説明する。図３６は、本実施形態に係るテレビ１０に表示される表示画面の一例を示す図である。
【０２６７】
図３６に示すように、２画面縦表示する場合のスケーリング後サブ画像３ｅの横幅をＸｄｓ１Ａ、縦幅をＹｄｓ１Ａとし、２画面横表示する場合のスケーリング後サブ画像３ｅ’の横幅をＸｄｓ１Ｂ、縦幅をＹｄｓ１Ｂとする。
【０２６８】
ＬＣＤ１１０と、スケーリング後メイン画像１ｅとは、相似形であることから、
ｋ＝Ｘｄｔ１／Ｘｄ１＝Ｙｄｔ１／Ｙｄ１  ・・・（１２）
が得られる。ここで、ｋ（ただし、０＜ｋ＜１）は、スケーリング後メイン画像のメイン画像に対するスケーリングの程度（縮小率）を示している。
【０２６９】
また、スケーリング後サブ画像３ｅとスケーリング後サブ画像３ｅ’とは、相似形であることから、
ｍ＝Ｙｄｓ１Ａ／Ｘｄｓ１Ａ＝Ｙｄｓ１Ｂ／Ｘｄｓ１Ｂ  ・・・（１３）
が得られる。ここで、ｍ（ただし、０＜ｍ）は、スケーリング後サブ画像３ｅ及び３ｅ’のアスペクト比を示している。
【０２７０】
さらに、図３６に示すように、スケーリング後メイン画像１ｅとスケーリング後サブ画像３ｅとの関係から、
Ｙｄ１＝Ｙｄｔ１＋Ｙｄｓ１Ａ  ・・・（１４）
であり、スケーリング後メイン画像１ｅとスケーリング後サブ画像３ｅ’との関係から、
Ｘｄ１＝Ｘｄｔ１＋Ｘｄｓ１Ｂ  ・・・（１５）
である。
【０２７１】
ここで、２画面縦表示した場合のスケーリング後サブ画像３ｅの表示面積Ｓａは、
Ｓａ＝Ｘｄｓ１Ａ＊Ｙｄｓ１Ａ  ・・・（１６）
であり、２画面横表示した場合のスケーリング後サブ画像３ｅ’の表示面積Ｓｂは、
Ｓｂ＝Ｘｄｓ１Ｂ＊Ｙｄｓ１Ｂ  ・・・（１７）
である。
【０２７２】
式（１２）〜（１４）、（１６）から、スケーリング後サブ画像３ｅの表示面積Ｓａは、
Ｓａ＝Ｘｄｓ１Ａ＊（１−ｋ）Ｙｄ１
＝｛（１−ｋ）＾２｝＊（Ｙｄ１＾２）／ｍ  ・・・（１８）
となる。また、式（１２）、（１３）、（１５）、（１７）から、スケーリング後サブ画像３ｅ’の表示面積Ｓｂは、
Ｓｂ＝（１−ｋ）Ｘｄ１＊Ｙｄｓ１Ｂ
＝｛（１−ｋ）＾２｝＊（Ｘｄ１＾２）＊ｍ  ・・・（１９）
となる。
【０２７３】
ここで、Ｓａ＞Ｓｂ、すなわち、スケーリング後サブ画像３ｅの表示面積Ｓａが、スケーリング後サブ画像３ｅ’の表示面積Ｓｂよりも大きくなるとき、式（１８）及び（１９）から、
Ｓａ／Ｓｂ＝（Ｙｄ１＾２）／｛（ｍ＾２）＊（Ｘｄ１＾２）｝＞１  ・・・（２０）
となる。
【０２７４】
また、式（２０）から、
ｍ＾２＜（Ｙｄ１／Ｘｄ１）＾２  ・・・（２１）
が得られる。さらに、式（２１）から、
Ｙｄｓ１Ａ／Ｘｄｓ１Ａ＜Ｙｄ１／Ｘｄ１  ・・・（２２）
が得られる。
【０２７５】
なお、サブ画像と、スケーリング後サブ画像３ｅとは、相似形であることから、
Ｙｄｓ１Ａ／Ｘｄｓ１Ａ＝Ｙｓ１／Ｘｓ１  ・・・（２３）
である。したがって、式（２２）及び（２３）より、
Ｙｓ１／Ｘｓ１＜Ｙｄ１／Ｘｄ１  ・・・（２４）
となる。
【０２７６】
以上のことから、式（２４）が成立する場合には、スケーリング後サブ画像３ｅの表示面積Ｓａが、スケーリング後サブ画像３ｅ’の表示面積Ｓｂよりも大きくなる。
【０２７７】
同様に、Ｓａ＜Ｓｂ、すなわち、スケーリング後サブ画像３ｅ’の表示面積Ｓｂが、スケーリング後サブ画像３ｅの表示面積Ｓａよりも大きくなるとき、
Ｙｓ１／Ｘｓ１≧Ｙｄ１／Ｘｄ１
が成立する。
【０２７８】
従って、表示サイズ算出部１３５は、Ｙｓ１／Ｘｓ１≧Ｙｄ１／Ｘｄ１であると判定した場合に横表示指示を表示サイズ情報と共に映像処理回路１０７に供給することにより、ＬＣＤ１１０にスケーリング後のメイン画像及びサブ画像を２画面横表示させる。また、表示サイズ算出部１３５は、Ｙｓ１／Ｘｓ１＜Ｙｄ１／Ｘｄ１であると判定した場合には、縦表示指示を表示サイズ情報と共に映像処理回路１０７に供給することにより、ＬＣＤ１１０にスケーリング後のメイン画像及びサブ画像を２画面縦表示させる。
【０２７９】
これによって、テレビ１０は、スケーリング後サブ画像の表示面積をより大きくすることができる。なお、以降では、Ｙｓ１／Ｘｓ１≧Ｙｄ１／Ｘｄ１である場合を「サブ画像が縦長」とも記載し、Ｙｓ１／Ｘｓ１＜Ｙｄ１／Ｘｄ１である場合を「サブ画像が横長」とも記載する。
【０２８０】
（表示画面の遷移）
次に、携帯端末（外部機器）３０におけるサブ画像の表示が縦表示（サブ画像の長手方向が図３７におけるｙ軸方向となる表示）から横表示（サブ画像の長手方向がｘ軸方向となる表示）に遷移した場合における、ＬＣＤ１１０に表示される表示画面の遷移の一例を、図３７を参照して説明する。
【０２８１】
図３７は、本実施形態に係るテレビ１０のＬＣＤ１１０に表示される表示画面の遷移の一例を示す遷移図である。図３７（ａ）は、サブ画像の表示が縦表示である場合のＬＣＤ１１０の表示画面の一例を示し、（ｂ）は、サブ画像の表示が横表示に遷移した場合のＬＣＤ１１０の表示画面の一例を示している。
【０２８２】
携帯端末３０に表示されるサブ画像が縦表示であって、表示サイズ算出部１３５においてサブ画像が縦長であると判定された場合、図３７（ａ）に示すように、ＬＣＤ１１０には、スケーリング後のメイン画像及びサブ画像が２画面横表示される。
【０２８３】
次に、携帯端末３０に表示されるサブ画像が、図３７（ａ）に示す縦表示から、図３７（ｂ）に示す横表示に遷移すると、表示サイズ算出部１３５は、表示位置判定処理を実行する。表示サイズ算出部１３５においてサブ画像が横長であると判定された場合、ＬＣＤ１１０には、図３７（ｂ）に示すように、スケーリング後のメイン画像及びサブ画像が、２画面縦表示される。
【０２８４】
このように、携帯端末３０におけるサブ画像の表示が縦表示から横表示に遷移（例えば、携帯端末３０の表示画面が９０度回転）すると、ＬＣＤ１１０に表示される表示画面は、図３７（ａ）に示す２画面横表示から、図３７（ｂ）に示す２画面縦表示に遷移する。なお、本実施形態では、携帯端末３０におけるサブ画像の表示が縦表示から横表示に遷移する場合を例に挙げて説明したが、サブ画像の表示が横表示から縦表示に遷移する場合も同様である。
【０２８５】
上記の構成によれば、表示サイズ算出部１３５は、スケーリング後メイン画像及びスケーリング後サブ画像のＬＣＤ１１０における表示位置を、メイン画像及びサブ画像のアスペクト比に基づいて調整する。これによって、テレビ１０は、スケーリング後メイン画像及びスケーリング後サブ画像をＬＣＤ１１０上の適した表示位置に表示することができる。
【０２８６】
より具体的には、サブ画像のアスペクト比がメイン画像のアスペクト比以上（つまり、サブ画像の形状がメイン画像の形状よりも縦長）である場合、スケーリング後のメイン画像及びサブ画像をＬＣＤ１１０の長手方向に並べて表示することになる。また、サブ画像のアスペクト比がメイン画像のアスペクト比よりも小さい（つまり、サブ画像の形状がメイン画像の形状よりも横長）である場合、スケーリング後のメイン画像及びサブ画像をＬＣＤ１１０の短手方向に並べて表示することになる。
【０２８７】
したがって、テレビ１０は、スケーリング後のメイン画像及びサブ画像を共に最適な表示サイズで、すなわち、スケーリング後のメイン画像及びサブ画像の表示面積がより大きくなるよう表示することができる。
【０２８８】
＜変形例＞
本実施形態では、表示サイズ算出部１３５における表示位置判定処理の判定結果が変わった場合に、ＬＣＤ１１０におけるスケーリング後サブ画像の表示位置を変更する構成を例に挙げて説明したが、本発明はこれに限定されるものではない。例えば、表示サイズ算出部１３５における表示位置判定処理の判定結果が変わった場合であっても、所定の場合には、ＬＣＤ１１０におけるスケーリング後サブ画像の表示位置を変更しない構成を採用することもできる。
【０２８９】
本変形例では、スケーリング後サブ画像の表示位置を変更した場合の表示面積の、変更しない場合の表示面積に対する増加率が所定の閾値以下である場合には、スケーリング後サブ画像の表示位置を変更しない構成を例に挙げて説明する。
【０２９０】
本変形例に係るテレビ１０におけるＬＣＤ１１０の表示画面の一例について、図３８を参照して説明する。図３８は、本変形例に係るテレビ１０のＬＣＤ１１０に表示される表示画面の一例を示す図である。図３８（ａ）は、サブ画像の表示が縦表示である場合のＬＣＤ１１０の表示画面の他の一例を示し、（ｂ）は、サブ画像の表示が横表示に遷移した場合のＬＣＤ１１０の表示画面の他の一例を示している。
【０２９１】
図３８（ａ）に示すように、携帯端末３０においてサブ画像３ｆが縦表示されており、表示サイズ算出部１３５においてサブ画像が縦長であると判定された場合、スケーリング後のメイン画像１ｆ’及びサブ画像３ｆ’は、ＬＣＤ１１０に２画面横表示される。次に、図３８（ａ）に示す状態から、（ｂ）に示すようにサブ画像３ｇが横表示される状態に遷移した場合、表示サイズ算出部１３５は、サブ画像が横長であると判定する。
【０２９２】
このとき、表示サイズ算出部１３５は、（ｉ）スケーリング後サブ画像の表示位置を２画面縦表示する際の表示位置に変更した場合のスケーリング後サブ画像３ｇ’の表示面積Ｓａと、（ｉｉ）スケーリング後サブ画像の表示位置を現在（図３８（ａ）に示す位置）の位置のままとした場合のスケーリング後サブ画像３ｇ”の表示面積Ｓｂとから、表示面積の増加率（Ｓａ／Ｓｂ）を算出する。
【０２９３】
表示サイズ算出部１３５は、算出した増加率Ｓａ／Ｓｂと、所定の閾値とを比較する。表示サイズ算出部１３５は、算出した増加率が所定の閾値より大きい場合には、２画面縦表示に変更する（つまり、スケーリング後サブ画像の表示位置を変更する）旨の指示を示す表示位置変更指示を、表示サイズ情報と共に映像処理回路１０７に供給する。
【０２９４】
一方、表示サイズ算出部１３５は、算出した増加率が所定の閾値以下である場合には、２画面横表示を維持する（つまり、スケーリング後サブ画像の表示位置を現在のまま維持する）旨の指示を示す表示位置維持指示を、表示サイズ情報と共に映像処理回路１０７に供給する。
【０２９５】
（増加率Ｓａ／Ｓｂの算出）
ここで、表示サイズ算出部１３５における、スケーリング後サブ画像の表示面積の増加率Ｓａ／Ｓｂの算出、及び、算出した増加率Ｓａ／Ｓｂと所定の閾値との比較について説明する。なお、本変形例では、所定の閾値として増加率１．１（すなわち、増加率が１０％）が設定されている場合を例に挙げて説明するが、所定の閾値は任意に設定可能であればよく、特に限定されるものではない。
【０２９６】
表示面積の増加率Ｓａ／Ｓｂは、式（１３）より、
ｍ＝Ｙｄｓ１Ａ／Ｘｄｓ１Ａ＝Ｙｄｓ１Ｂ／Ｘｄｓ１Ｂ
＝Ｙｓ１／Ｘｓ１  ・・・（２５）
であるから、式（１８）、（１９）及び（２５）から、
Ｓａ／Ｓｂ＝（Ｙｄ１）＾２／｛（ｍ＾２）＊Ｘｄ１＾２｝
＝｛（Ｙｄ１／Ｘｄ１）＾２｝／｛（Ｙｓ１／Ｘｓ１）＾２｝・・（２６）
となる。
【０２９７】
以上より、表示サイズ算出部１３５は、式（２６）を計算することにより、表示面積の増加率Ｓａ／Ｓｂを算出すればよい。
【０２９８】
本変形例では、所定の閾値として増加率１．１が設定されていることから、表示サイズ算出部１３５は、式（２６）によって算出される増加率Ｓａ／Ｓｂと、所定の閾値１．１とを比較して、
｛（Ｙｄ１／Ｘｄ１）＾２｝／｛（Ｙｓ１／Ｘｓ１）＾２｝≦１．１  ・・・（２７）
を満たす場合には、スケーリング後サブ画像の表示位置を現在のまま維持する表示位置維持指示を映像処理回路１０７に通知すればよい。また、式（２７）を満たさない場合に、スケーリング後サブ画像の表示位置を変更する表示位置変更指示を映像処理回路１０７に通知すればよい。
【０２９９】
本変形例では、携帯端末３０に表示されるサブ画像が、縦表示から横表示に遷移した場合を例に挙げて説明したが、横表示から縦表示に遷移する場合も同様に、
｛（Ｙｓ１／Ｘｓ１）＾２｝／｛（Ｙｄ１／Ｘｄ１）＾２｝≦１．１  ・・・（２８）
を満たす場合には、スケーリング後サブ画像の表示位置を現在のまま維持させればよい。また、式（２８）を満たさない場合に、スケーリング後サブ画像の表示位置を変更させればよい。
【０３００】
上記の構成によれば、表示サイズ算出部１３５は、表示位置判定処理の判定結果が変わった場合であっても、更に、表示面積の増加率に基づいてスケーリング後サブ画像の表示位置を変更するか否かを決定することができる。これにより、テレビ１０は、携帯端末３０におけるサブ画像の表示が遷移した場合に、表示面積の増加率が低いにも係らず表示位置が変更されてしまうことにより、ユーザの視認性が低下してしまうことを防ぐことができる。
【０３０１】
なお、本変形例の他の一例として、表示位置判定処理の判定結果が変わった場合であっても、所定の期間が経過する前に元の判定結果に戻った場合には、スケーリング後サブ画像の表示位置を変更しない構成などを採用することもできる。
【０３０２】
また、最小文字サイズ、及び、テレビ１０とユーザとの距離などは、頻繁に変化することもあるが、これらが変化する度にスケーリング後サブ画像の表示サイズが変更されると、ユーザが煩わしさを感じてしまう場合がある。
【０３０３】
このような場合、例えば、サブ画像に含まれる最小文字サイズが変化した場合であっても、最小文字サイズの変化率が所定の値よりも小さい場合には、スケーリング後サブ画像の表示サイズを変更しない構成を採用してもよい。さらに、テレビ１０とユーザとの距離が変化した場合であっても、距離の変化が所定の値よりも小さい場合、又は、距離の変化が所定の時間以内である場合には、スケーリング後サブ画像の表示サイズを変更しない構成を採用してもよい。
【０３０４】
上述の構成によれば、最小文字サイズ、及び、テレビ１０とユーザとの距離などが変化する度にスケーリング後サブ画像の表示サイズが変更されることによって、ユーザの視認性が低下してしまうことを防ぐことができる。
【０３０５】
＜実施形態４＞
実施形態１では、サブ画像とスケーリング後サブ画像とのアスペクト比、及び、メイン画像とスケーリング後メイン画像とのアスペクト比を一定に保ちつつ２画面表示する場合を例に挙げて説明したが、本発明はこれに限定されるものではない。例えば、サブ画像とスケーリング後サブ画像とのアスペクト比、及び、メイン画像とスケーリング後メイン画像とのアスペクト比の少なくとも何れかを一定に保つことなく２画面表示してもよい。
【０３０６】
本実施形態の一例として、２画面表示においてサブ画像とスケーリング後サブ画像とのアスペクト比が一定に保たれない場合について、図３９を参照して説明する。図３９は、本実施形態に係るテレビ１０の備えるＬＣＤ１１０に表示される表示画面の他の一例を示す図である。図３９（ａ）は、サブ画像とスケーリング後サブ画像とのアスペクト比が一定に保たれている場合の表示画面の一例を示し、（ｂ）は、サブ画像とスケーリング後サブ画像とのアスペクト比が一定に保たれていない場合の表示画面の一例を示している。
【０３０７】
例えば、本実施形態では、図３９（ａ）に示すように、サブ画像とスケーリング後サブ画像とのアスペクト比が一定に保たれた状態で２画面表示されている場合に、ユーザユーザがリモコン２０などを操作することによって、スケーリング後サブ画像の形状を変形可能であってもよい。
【０３０８】
表示サイズ算出部１３５は、ユーザによりスケーリング後サブ画像の縦幅Ｙｄｓ１の長さを長くする指示が入力されると、ユーザ指示に応じた縦幅Ｙｄｓ１’を算出し、表示サイズ情報として映像処理回路１０７に供給すればよい。映像処理回路１０７によってスケーリング処理の施されたスケーリング後サブ画像は、図３９（ｂ）に示すように、アスペクト比が変更された状態でＬＣＤ１１０に表示される。
【０３０９】
これにより、テレビ１０は、スケーリング後のメイン画像及びサブ画像の少なくとも何れかの大きさ及び形状などを、アスペクト比に係らず、ユーザ指示に応じて変更することができる。
【０３１０】
〔ソフトウェアによる実現例〕
テレビ１０の制御ブロック（特に、制御部１１８）、及び、携帯端末３０の制御ブロック（特に、制御部３０１）は、集積回路（ＩＣチップ）等に形成された論理回路（ハードウェア）によって実現してもよいし、ＣＰＵ（Central Processing Unit）を用いてソフトウェアによって実現してもよい。
【０３１１】
後者の場合、テレビ１０及び携帯端末３０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０３１２】
〔まとめ〕
本発明の態様１に係る表示装置（テレビ１０）は、コンテンツ（メイン画像）を表示部に表示する表示手段（ＬＣＤコントローラ１０９）と、当該表示装置からユーザまでの距離を検出する距離検出手段（距離検出部１３３）と、外部機器（携帯端末３０）から入力される入力画像（サブ画像）に含まれる文字のうち、最も小さい文字の大きさ（最小文字サイズ）を検出する文字サイズ検出手段（文字認識部１３２）と、上記入力画像の表示サイズを、上記入力画像に含まれる最も小さい文字の大きさ、及び、上記距離に基づいて調整する調整手段（表示サイズ算出部１３５、映像処理部１０７）と、を備え、上記表示手段は、上記入力画像を、上記調整手段によって調整された表示サイズで、上記コンテンツと共に上記表示部に表示する。
【０３１３】
上記の構成によれば、上記調整手段は、上記入力画像が上記表示部に表示される際の表示サイズを、（１）上記入力画像に含まれるもっとも小さい文字の大きさ、及び、（２）上記表示装置から上記ユーザまでの距離の双方に基づいて調整する。また、上記表示手段は、表示サイズの調整された上記入力画像を、上記コンテンツと共に表示する。
【０３１４】
これにより、上記表示装置は、上記入力画像に含まれる文字を、当該表示装置から上記ユーザまでの距離に適した大きさで表示することができる。したがって、上記表示装置は、当該表示装置からユーザまでの距離によらず、上記入力画像を、当該入力画像に含まれる文字をユーザが認識可能なサイズで表示することができる。
【０３１５】
本発明の態様２に係る表示装置は、上記態様１において、当該表示装置を利用する上記ユーザを特定するユーザ特定手段（ユーザ設定抽出部１３４）を備え、上記調整手段は、更に、上記入力画像の表示サイズを、上記ユーザ特定手段によって特定される上記ユーザによって予め設定されている基準文字サイズに基づいて調整してもよい。
【０３１６】
上記の構成によれば、上記調整手段は、上記入力画像の表示サイズを、更に、（３）上記ユーザによって予め設定されている基準文字サイズに基づいて調整する。
【０３１７】
これにより、上記表示装置は、当該表示装置から上記ユーザまでの距離によらず、上記入力画像を、上記入力画像に含まれる文字が上記ユーザの好みのサイズにより合致したサイズとなるよう調整された表示サイズで表示することができる。
【０３１８】
本発明の態様３に係る表示装置において、上記態様１又は２における上記調整手段は、上記コンテンツの表示サイズを、上記入力画像の調整された表示サイズに基づいて縮小し、上記表示手段は、上記縮小されたコンテンツを、上記表示部上の、上記表示サイズの調整された入力画像が表示される領域と異なる領域に表示してもよい。
【０３１９】
上記の構成によれば、上記調整手段は、上記入力画像の表示サイズに基づいて、上記コンテンツの表示サイズを縮小（調整）する。また、上記表示手段は、上記調整手段によって表示サイズの調整された上記入力画像及び上記コンテンツを各々上記表示部の異なる領域に表示する。
【０３２０】
これによって、上記表示装置は、上記入力画像を表示した場合に、上記入力画像が上記コンテンツに重畳されることによって、上記コンテンツの一部をユーザが見ることができなくなってしまうことを防ぐことができる。
【０３２１】
本発明の態様４に係る表示装置において、上記態様２における上記文字サイズ検出手段は、上記コンテンツに含まれる文字のうち、最も小さい文字の大きさを検出し、上記調整手段は、上記コンテンツの表示サイズを、上記コンテンツに含まれる最も小さい文字の大きさ、及び、上記距離に基づいて調整し、上記表示手段は、上記コンテンツ及び上記入力画像の各々を、上記調整手段によって調整された表示サイズで、上記表示部上の異なる領域に表示してもよい。
【０３２２】
上記の構成によれば、上記調整手段は、上記入力画像の表示サイズと共に、上記コンテンツの表示サイズを調整する。また、上記表示手段は、上記調整手段によって表示サイズの調整された上記入力画像及び上記コンテンツを各々上記表示部の異なる領域に表示する。
【０３２３】
これによって、上記表示装置は、上記コンテンツに含まれる文字を、当該表示装置から上記ユーザまでの距離に適した大きさで表示することができる。また、上記表示装置は、上記入力画像を表示した場合に、上記入力画像が上記コンテンツに重畳されることによって、上記コンテンツの一部をユーザが見ることができなくなってしまうことを防ぐことができる。
【０３２４】
本発明の態様５に係る表示装置において、上記態様４における上記調整手段は、更に、上記コンテンツの表示サイズを、上記基準文字サイズに基づいて調整してもよい。
【０３２５】
上記の構成によれば、上記調整手段は、上記コンテンツの表示サイズを、更に、上記ユーザによって予め設定されている基準文字サイズに基づいて調整する。
【０３２６】
これにより、上記表示装置は、当該表示装置から上記ユーザまでの距離によらず、上記コンテンツに含まれる文字が上記ユーザの好みにより合致したサイズとなるよう調整された表示サイズで、上記コンテンツを表示することができる。
【０３２７】
本発明の態様６に係る表示装置において、上記態様４又は５における上記調整手段は、表示サイズを調整した上記入力画像及び上記コンテンツの少なくとも何れかの表示サイズを、上記入力画像及び上記コンテンツの優先度に応じて更に調整してもよい。
【０３２８】
上記の構成によれば、上記調整手段は、表示サイズの調整後の上記入力画像及び上記コンテンツの少なくとも何れかの表示サイズを、各々の優先度に応じて更に調整する。
【０３２９】
これにより、上記調整手段は、例えば、表示サイズの調整後の上記入力画像及び上記コンテンツが上記表示部に表示される際に上記入力画像と上記コンテンツとの間に隙間が生じてしまうような場合には、上記入力画像及び上記コンテンツの上記優先度の高い方の表示サイズを拡大することができる。
【０３３０】
また、上記調整手段は、表示サイズの調整後の上記入力画像及び上記コンテンツが上記表示部に表示される際に上記入力画像の一部と上記コンテンツの一部とが重なってしまうような場合には、上記入力画像及び上記コンテンツの上記優先度の低い方の表示サイズを縮小することもできる。
【０３３１】
これによって、上記表示装置は、上記入力画像及び上記コンテンツの優先度に応じて、より適切な表示サイズで上記入力画像及び上記コンテンツを表示することができる。
【０３３２】
本発明の態様７に係るテレビジョン受像機（テレビ１０）は、態様１から６までに記載の表示装置を備えている。
【０３３３】
方発明の態様８に係る表示方法は、コンテンツを表示部に表示する表示装置の表示方法であって、カメラによって撮像された撮像画像から、上記表示装置からユーザまでの距離を検出する距離検出ステップと、外部機器から入力される入力画像に含まれる文字のうち、最も小さい文字の大きさを検出する文字サイズ検出ステップと、上記入力画像の表示サイズを、上記入力画像に含まれる最も小さい文字の大きさ、及び、上記距離に基づいて調整する調整ステップと、上記入力画像を、上記調整ステップにおいて調整された表示サイズで、上記コンテンツと共に上記表示部に表示する表示ステップと、を含んでいる。
【０３３４】
上記の構成によれば、上記態様１に係る表示装置と同様の効果を奏することができる。
【０３３５】
本発明の各態様に係る表示装置は、コンピュータによって実現してもよく、この場合には、コンピュータを上記表示装置が備える各手段として動作させることにより上記表示装置をコンピュータにて実現させる表示装置のプログラム、およびそれを記録したコンピュータ読み取り可能な記録媒体も、本発明の範疇に入る。
【０３３６】
なお、ここで開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【産業上の利用可能性】
【０３３７】
本発明に係る表示装置は、テレビジョン受像機、電子黒板、デジタルサイネージ（電子看板）、及び、パーソナルコンピュータなどに好適に適用することができる。また、本発明に係る外部装置は、携帯電話、スマートフォン、タブレット端末、電子書籍、デジタルカメラ、及び、デジタルビデオカメラなどの携帯端末に好適に適用することができる。
【符号の説明】
【０３３８】
１０          テレビ（表示装置、テレビジョン受像機）
２０          リモートコントローラ
３０          携帯端末（外部機器）
１０７        映像処理回路（調整手段）
１０９        ＬＣＤコントローラ（表示手段）
１１０        ＬＣＤ（表示部）
１１５        外部入力部
１１７        ＲＡＭ
１１８        制御部
１２０        カメラ
１２１        無線通信部
１３１        スイッチング部
１３２        文字認識部（文字サイズ検出手段）
１３３        距離検出部（距離検出手段）
１３４        ユーザ設定抽出部（ユーザ特定手段）
１３５        表示サイズ算出部（調整手段）
１４１        文字領域検出部
１４２        最小文字領域検出部
１４３        最小文字サイズ検出部
３０１        制御部
３０３        表示部
３０４        記憶部
３０５        送信部
３１１        再生制御部
３１２        サイズ比情報生成部
３２１        文字認識部
３２２        最小文字サイズ比算出部
３２３        サイズ比変化判定部
３４１        サイズ比テーブル
３４２        変化フラグテーブル
【要約】      （修正有）【課題】ユーザとの距離によらず、外部から入力される画像を、当該画像に含まれる文字をユーザが認識可能なサイズで表示することのできる表示装置を提供する。【解決手段】テレビの制御部１１８は、テレビからユーザまでの距離を検出する距離検出部１３３と、携帯端末から入力されるサブ画像に含まれる最小文字サイズを検出する文字認識部１３２と、サブ画像の表示サイズを、最小文字サイズ及び前記距離に基づいて調整する表示サイズ算出部１３５と、取得されたサブ画像を文字認識部１３２及び表示サイズ算出部１３５に供給するか否かを切り替えるスイッチング部１３１と、予めテレビを利用しているユーザによって設定されたユーザの好みの文字サイズを抽出するユーザ設定抽出部１３４と、を備える。【選択図】図１【図１】
0005575294.tif 000002
【図２】
0005575294.tif 000003
【図３】
0005575294.tif 000004
【図４】
0005575294.tif 000005
【図５】
0005575294.tif 000006
【図６】
0005575294.tif 000007
【図７】
0005575294.tif 000008
【図８】
0005575294.tif 000009
【図９】
0005575294.tif 000010
【図１０】
0005575294.tif 000011
【図１１】
0005575294.tif 000012
【図１２】
0005575294.tif 000013
【図１３】
0005575294.tif 000014
【図１４】
0005575294.tif 000015
【図１５】
0005575294.tif 000016
【図１６】
0005575294.tif 000017
【図１７】
0005575294.tif 000018
【図１８】
0005575294.tif 000019
【図１９】
0005575294.tif 000020
【図２０】
0005575294.tif 000021
【図２１】
0005575294.tif 000022
【図２２】
0005575294.tif 000023
【図２３】
0005575294.tif 000024
【図２４】
0005575294.tif 000025
【図２５】
0005575294.tif 000026
【図２６】
0005575294.tif 000027
【図２７】
0005575294.tif 000028
【図２８】
0005575294.tif 000029
【図２９】
0005575294.tif 000030
【図３０】
0005575294.tif 000031
【図３１】
0005575294.tif 000032
【図３２】
0005575294.tif 000033
【図３３】
0005575294.tif 000034
【図３４】
0005575294.tif 000035
【図３５】
0005575294.tif 000036
【図３６】
0005575294.tif 000037
【図３７】
0005575294.tif 000038
【図３８】
0005575294.tif 000039
【図３９】
0005575294.tif 000040